(57)【要約】コンテンツ作成装置（１０）は、マルチメディアテンプレートを再生する再生制御部（３２）と、再生制御部（３２）によるマルチメディアテンプレートの再生中に、マルチメディアテンプレートに挿入するメディアデータの選択に関わるユーザの指示を受け付ける入力部（２６）と、入力部（２６）を介して受け付けたメディアデータを挿入してマルチメディアテンプレートを再生制御部（３２）に再生させる制御部（３０）と、入力部（２６）を介して選択されたメディアデータの確定に応じて、マルチメディアテンプレートと確定されたメディアデータとに基づいてマルチメディアコンテンツを作成するシナリオ変換部（３８）とを備える。【特許請求の範囲】
【請求項１】
メディアデータを挿入可能なマルチメディアテンプレートを再生する再生手段と、
前記再生手段による前記マルチメディアテンプレートの再生中に、前記マルチメディアテンプレートに挿入するメディアデータの選択に関わるユーザの指示を受け付けるメディアデータ受付手段と、
前記メディアデータ受付手段を介して選択されたメディアデータを挿入して前記マルチメディアテンプレートを前記再生手段に再生させる制御手段と、
前記メディアデータ受付手段を介して選択されたメディアデータの確定に応じて、前記マルチメディアテンプレートと前記確定されたメディアデータとに基づいてマルチメディアコンテンツを作成するマルチメディアコンテンツ作成手段と、
を備えたことを特徴とするコンテンツ作成装置。
【請求項２】
前記再生手段は、ユーザからのメディアデータ選択開始の指示があってからメディアデータ選択完了までの間、前記マルチメディアテンプレートの再生を停止することを特徴とする請求項１に記載のコンテンツ作成装置。
【請求項３】
前記マルチメディアテンプレートの再生中に、前記メディアデータを挿入可能な期間に関連して、ユーザにメディアデータの選択を促す手段を備えたことを特徴とする請求項１に記載のコンテンツ作成装置。
【請求項４】
前記選択を促す手段は、前記挿入可能な期間の開始時に、前記マルチメディアテンプレートの再生を停止することを特徴とする請求項３に記載のコンテンツ作成装置。
【請求項５】
前記選択を促す手段は、前記挿入可能な期間にメディアデータの選択受付可能な期間であることをユーザに提示することを特徴とする請求項３に記載のコンテンツ作成装置。
【請求項６】
前記選択を促す手段は、前記メディアデータの選択候補に関する情報を画面に表示することを特徴とする請求項３に記載のコンテンツ作成装置。
【請求項７】
前記再生手段は、前記メディアデータを挿入する挿入範囲を画像として、再生中のマルチメディアテンプレートに表示することを特徴とする請求項１に記載のコンテンツ作成装置。
【請求項８】
前記挿入範囲を表示する画像の選択に応じて、前記挿入範囲へのメディアデータの挿入を受け付けることを特徴とする請求項７に記載のコンテンツ作成装置。
【請求項９】
前記制御手段は、前記メディアデータ受付手段を介して選択されたメディアデータの再生を開始する位置を、前記メディアデータを挿入可能な部分の再生開始から前記メディアデータ受付手段によるメディアデータの受付けまでに経過した前記マルチメディアテンプレートの再生時間分だけ、前記メディアデータの先頭からシフトすることを特徴とする請求項１に記載のコンテンツ作成装置。
【請求項１０】
前記メディアデータ受付手段は、撮像手段により撮像中の動画像または静止画像を前記マルチメディアテンプレートに挿入するメディアデータとする指示を受付可能であることを特徴とする請求項１に記載のコンテンツ作成装置。
【請求項１１】
メディアデータを挿入可能なマルチメディアテンプレートを再生し、
前記マルチメディアテンプレートの再生中に、前記マルチメディアテンプレートに挿入するメディアデータの選択に関わるユーザの指示の入力を受け付け、
入力されたユーザの指示により選択されたメディアデータを挿入して前記マルチメディアテンプレートを再生し、
入力されたユーザの指示により選択されたメディアデータの確定に応じて、前記マルチメディアテンプレートと前記確定されたメディアデータとに基づいてマルチメディアコンテンツを作成する、
ことを特徴とするコンテンツ作成方法。
【請求項１２】
マルチメディアコンテンツを作成するためのプログラムであって、
メディアデータを挿入可能なマルチメディアテンプレートを再生し、
前記マルチメディアテンプレートの再生中に、前記マルチメディアテンプレートに挿入するメディアデータの選択に関わるユーザの指示の入力を受け付け、
入力されたユーザの指示により選択されたメディアデータを挿入して前記マルチメディアテンプレートを再生し、
入力されたユーザの指示により選択されたメディアデータの確定に応じて、前記マルチメディアテンプレートと前記確定されたメディアデータとに基づいて動画像コンテンツを作成する、
処理をコンピュータに実行させることを特徴とするプログラム。
【発明の詳細な説明】
【技術分野】
【０００１】  本発明は、マルチメディアコンテンツを作成する装置および方法に関する。
【背景技術】
【０００２】  従来から、画像、音声、文字列等のメディアデータからなるマルチメディアコンテンツが、例えば、携帯電話等で利用されている。このようなマルチメディアコンテンツを、一般のユーザが容易に作成できるようにするための方法が知られている。この方法は、例えば、特開２００３−２８１４６１号公報に開示されている。【０００３】  この特許文献には、改変不能な基幹部分とユーザが編集可能な範囲を含むマルチメディアテンプレートをユーザに提供し、マルチメディアテンプレートの編集可能な範囲にあてはめるメディアデータをユーザに選択させる方法が記載されている。上記の特許文献に記載された方法は、編集対象のマルチメディアテンプレートを読み出したときに、編集可能なタイミングと選択可能なメディアデータを列挙してユーザに提示し、ユーザからの編集操作の入力を受け付ける。そして、マルチメディアテンプレートの編集終了後に必要に応じて、編集されたマルチメディアデータをプレビュー表示する。その後、ユーザにより編集終了の指示がなされたときに編集を終了し、編集されたマルチメディアデータを出力する。
【発明の開示】
【発明が解決しようとする課題】
【０００４】  上記の特許文献に記載された方法では、編集操作の入力をすべて受け付けた後に、必要に応じてプレビュー表示する。従って、編集操作を行うときには出来上がりのコンテンツが分からず、マルチメディアテンプレートの内容に合ったメディアデータを選択するのが困難である。特に、携帯端末では入出力インターフェースが制限されているため、マルチメディアテンプレートと選択すべきメディアデータの両方を同時に再生して内容を確認することが難しい。従って、マルチメディアテンプレートに合ったメディアデータを選択してマルチメディアコンテンツを作成することが困難である。【０００５】  本発明は、上記背景に鑑み、マルチメディアテンプレートに合ったメディアデータを選択してコンテンツを作成できるコンテンツ作成装置およびコンテンツ作成方法を提供することを目的とする。
【課題を解決するための手段】
【０００６】  本発明のコンテンツ作成装置は、メディアデータを挿入可能なマルチメディアテンプレートを再生する再生手段と、再生手段によるマルチメディアテンプレートの再生中に、マルチメディアテンプレートに挿入するメディアデータの選択に関わるユーザの指示を受け付けるメディアデータ受付手段と、メディアデータ受付手段を介して選択されたメディアデータを挿入してマルチメディアテンプレートを再生手段に再生させる制御手段と、メディアデータ受付手段を介して選択されたメディアデータの確定に応じて、マルチメディアテンプレートと確定されたメディアデータとに基づいてマルチメディアコンテンツを作成するマルチメディアコンテンツ作成手段とを備える。【０００７】  上記の再生手段は、ユーザからのメディアデータ選択開始の指示があってからメディアデータ選択完了までの間、マルチメディアテンプレートの再生を停止してもよい。【０００８】  また、本発明のコンテンツ作成装置は、マルチメディアテンプレートの再生中に、メディアデータを挿入可能な期間に関連して、ユーザにメディアデータの選択を促す手段を備えてもよい。ここで、選択を促す手段は、（１）挿入可能な期間の開始時に、マルチメディアテンプレートの再生を停止してもよく、（２）挿入可能な期間にメディアデータの選択受付可能な期間であることをユーザに提示してもよく、（３）メディアデータの選択候補に関する情報を画面に表示してもよい。【０００９】  また、本発明のコンテンツ作成装置において、再生手段は、メディアデータを挿入する挿入範囲を画像として、再生中のマルチメディアテンプレートに表示してもよい。マルチメディアテンプレートに表示された挿入範囲の画像の選択に応じて、挿入範囲へのメディアデータの挿入を受け付けてもよい。【００１０】  また、本発明のコンテンツ作成装置において、制御手段は、メディアデータ受付手段を介して選択されたメディアデータの再生を開始する位置を、メディアデータを挿入可能な部分の再生開始からメディアデータ受付手段によるメディアデータの受付けまでに経過したマルチメディアテンプレートの再生時間分だけ、メディアデータの先頭からシフトしてもよい。【００１１】  また、本発明のコンテンツ作成装置において、メディアデータ受付手段は、撮像手段により撮像中の動画像または静止画像をマルチメディアテンプレートに挿入するメディアデータとする指示を受付可能としてもよい。【００１２】  本発明のコンテンツ作成方法は、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいてマルチメディアコンテンツを作成する。【００１３】  本発明のプログラムは、マルチメディアコンテンツを作成するためのプログラムであって、メディアデータを挿入可能なマルチメディアテンプレートを再生し、��ルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいて動画像コンテンツを作成する処理をコンピュータに実行させる。【００１４】  以下に、説明するように、本発明には他の態様が存在する。したがって、この発明の開示は、本発明の一部の態様の提供を意図しており、ここで記述され請求される発明の範囲を制限することは意図していない。
【図面の簡単な説明】
【００１５】
【図１】図１は、第１の実施の形態のコンテンツ作成装置の構成を示す図
【図２】図２は、テンプレートのシナリオの例を示す図
【図３】図３は、テンプレート再生の画面表示例を示す図
【図４】図４は、コンテンツ作成装置の動作を示す図
【図５】図５は、コンテンツ作成装置の動作を示す図
【図６】図６は、コンテンツ作成装置の動作を示す図
【図７】図７は、コンテンツ作成装置の動作を示す図
【図８】図８は、コンテンツ作成装置の動作を示す図
【図９】図９は、テンプレートの選択画面例を示す図
【図１０Ａ】図１０Ａは、テンプレート再生中の画面例を示す図
【図１０Ｂ】図１０Ｂは、編集対象の選択画面例を示す図
【図１０Ｃ】図１０Ｃは、画像の選択画面例を示す図
【図１０Ｄ】図１０Ｄは、テンプレート再生中の画面例を示す図
【図１１Ａ】図１１Ａは、編集対象の選択画面例を示す図
【図１１Ｂ】図１１Ｂは、テキストの入力画面例を示す図
【図１１Ｃ】図１１Ｃは、テンプレート再生中の画面例を示す図
【図１１Ｄ】図１１Ｄは、コンテンツ保存先の確認画面例を示す図
【図１２】図１２は、一時記憶されたテンプレート選択情報を示す図
【図１３】図１３は、コンテンツのシナリオの例を示す図
【図１４】図１４は、コンテンツ再生時の画面表示例を示す図
【図１５】図１５は、第２の実施の形態のテンプレートのシナリオの例を示す図
【図１６】図１６は、テンプレート再生の画面表示例を示す図
【図１７】図１７は、コンテンツ作成装置の動作を示す図
【図１８】図１８は、コンテンツ作成装置の動作を示す図
【図１９】図１９は、コンテンツ作成装置の動作を示す図
【図２０】図２０は、コンテンツ作成装置の動作を示す図
【図２１】図２１は、コンテンツのシナリオの例を示す図
【図２２】図２２は、コンテンツ再生時の画面表示例を示す図
【図２３】図２３は、コンテンツのシナリオの例を示す図
【図２４】図２４は、コンテンツ再生時の画面表示例を示す図
【図２５】図２５は、第２の実施の形態におけるメディアデータ挿入によるコンテンツの変化を示す図
【図２６】図２６は、第２の実施の形態の変形例におけるメディアデータ挿入によるコンテンツの変化を示す図
【図２７】図２７は、テンプレート再生中の他の画面例を示す図
【図２８】図２８は、変形例にかかるテンプレートシナリオを示す図
【発明を実施するための最良の形態】
【００１６】  以下に、本発明の詳細な説明を述べる。ただし、詳細な説明と添付の図面は、発明を限定するものではない。代わりに、発明の範囲は添付の請求の範囲により規定される。【００１７】  本実施の形態のコンテンツ作成装置は、メディアデータを挿入可能なマルチメディアテンプレートを再生する再生手段と、再生手段によるマルチメディアテンプレートの再生中に、マルチメディアテンプレートに挿入するメディアデータの選択に関わるユーザの指示を受け付けるメディアデータ受付手段と、メディアデータ受付手段を介して選択されたメディアデータを挿入してマルチメディアテンプレートを再生手段に再生させる制御手段と、メディアデータ受付手段を介して選択されたメディアデータの確定に応じて、マルチメディアテンプレートと確定されたメディアデータとに基づいてマルチメディアコンテンツを作成するマルチメディアコンテンツ作成手段とを備える。【００１８】  この構成により、マルチメディアテンプレートの再生中にメディアデータの選択を受け付け、選択されたメディアデータを挿入してマルチメディアテンプレートを再生するので、作成されるマルチメディアテンプレートを確認しつつ、マルチメディアテンプレートに合ったメディアデータを選択できる。また、選択されたメディアデータの確定に応じて初めてマルチメディアコンテンツを作成する構成であるので、メディアデータの確定をするまでは、いったん選択されたメディアデータを新たに選択された他のメディアデータに容易に変更できる。また、メディアデータの選択履歴を保持する構成とすれば、選択内容を元に戻す操作により、以前に選択したメディアデータを挿入して再生することが容易になる。【００１９】  再生手段は、ユーザからのメディアデータ選択開始の指示があってからメディアデータ選択完了までの間、マルチメディアテンプレートの再生を停止してもよい。【００２０】  この構成により、メディアデータの選択中にマルチメディアテンプレートの再生が停止するので、時間をかけてメディアデータを選択することができる。【００２１】  また、このコンテンツ作成装置は、マルチメディアテンプレートの再生中に、メディアデータを挿入可能な期間に関連して、ユーザにメディアデータの選択を促す手段を備えてもよい。【００２２】  この構成により、メディアデータの選択をユーザに促すことができる。例えば、メディアデータの挿入可能な期間が開始することを、その期間が開始する前にユーザに知らせてメディアデータの選択を促すことも可能である。【００２３】  選択を促す手段は、挿入可能な期間の開始時に、マルチメディアテンプレートの再生を停止してもよい。【００２４】  この構成により、挿入可能な期間が開始するタイミングでメディアデータの選択を行える。【００２５】  選択を促す手段は、挿入可能な期間にメディアデータの選択受付可能な期間であることをユーザに提示してもよい。【００２６】  この構成により、メディアデータを選択可能であることをユーザに提示できる。特に、音声のようにメディアを挿入する範囲がマルチメディアテンプレートの再生画面に表示されない場合には、この構成が有効である。【００２７】  選択を促す手段は、メディアデータの選択候補に関する情報を画面に表示してもよい。【００２８】  この構成により、メディアデータを速やかに選択可能となる。【００２９】  また、このコンテンツ作成装置において、再生手段は、メディアデータを挿入する挿入範囲を画像として、再生中のマルチメディアテンプレートに表示してもよい。【００３０】  この構成により、マルチメディアテンプレート中でメディアデータが挿入される範囲を知らせるので、その範囲に合ったメディアデータを選択可能となる。【００３１】  マルチメディアテンプレートに表示された挿入範囲の画像の選択に応じて、挿入範囲へのメディアデータの挿入を受け付けてもよい。【００３２】  この構成により、再生中のマルチメディアテンプレートに複数の挿入範囲が存在する場合のメディアデータ選択のインターフェースを分かりやすくできる。これにより、例えば、選択したメディアデータを意図した挿入範囲と異なる挿入範囲に入れてしまう可能性を低減できる。【００３３】  また、このコンテンツ作成装置において、制御手段は、メディアデータ受付手段を介して選択されたメディアデータの再生を開始する位置を、メディアデータを挿入可能な部分の再生開始からメディアデータ受付手段によるメディアデータの受付けまでに経過したマルチメディアテンプレートの再生時間分だけ、メディアデータの先頭からシフトしてもよい。【００３４】  この構成により、挿入可能な部分の再生開始からの経過時間に応じてメディアデータの再生開始位置をシフトするので、メディアデータが選択されたタイミングによらず、テンプレートで指定された固定メディア（背景画像やＢＧＭなど）と同期して合成しながら、選択されたユーザメディアの再生を行うことができる。【００３５】  また、このコンテンツ作成装置において、メディアデータ受付手段は、撮像手段により撮像中の動画像または静止画像をマルチメディアテンプレートに挿入するメディアデータとする指示を受付可能としてもよい。【００３６】  この構成により、撮像中の画像をそのまま利用して、マルチメディアコンテンツを作成できる。【００３７】  本実施の形態のコンテンツ作成方法は、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいてマルチメディアコンテンツを作成する。【００３８】  この構成により、上記したコンテンツ作成装置と同様に、作成されるマルチメディアテンプレートを確認しつつ、マルチメディアテンプレートに合ったメディアデータを選択できる。また、このコンテンツ作成方法に、上記したコンテンツ作成装置の各種の構成を適用することも可能である。【００３９】  本実施の形態のプログラムは、マルチメディアコンテンツを作成するためのプログラムであって、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいて動画像コンテンツを作成する処理をコンピュータに実行させる。【００４０】  この構成により、上記したコンテンツ作成装置と同様に、作成されるマルチメディアテンプレートを確認しつつ、マルチメディアテンプレートに合ったメディアデータを選択できる。また、このプログラムに、上記したコンテンツ作成装置の各種の構成を適用することも可能である。【００４１】  以下、本発明の実施の形態のコンテンツ作成装置について図面を用いて説明する。【００４２】  図１は、コンテンツ作成装置１０の構成を示す図である。コンテンツ作成装置１０は、マルチメディアコンテンツ（以下、「コンテンツ」という）を作成するための装置である。本実施の形態において、コンテンツ作成装置１０は、例えば、携帯電話、携帯情報端末である。図１に示すように、コンテンツ作成装置１０は、マルチメディアテンプレート（以下、「テンプレート」という）を記憶するテンプレート記憶部１２と、ユーザメディア２０を記憶するユーザメディア記憶部１８と、コンテンツシナリオ２４を記憶するコンテンツ記憶部２２と、ユーザインターフェースを構成する入力部２６および出力部２８と、全体を制御する制御部３０とを備えている。【００４３】  テンプレート記憶部１２には、動画、静止画、音声、テキスト等の各種のメディアデータの再生開始時刻、再生終了時刻、および表示領域を規定するテンプレートシナリオ１６と、テンプレートシナリオ１６に従って再生されるメディア（以下、「固定メディア」という）１４とが記憶されている。固定メディア１４がテンプレートシナリオ１６に従って再生されることにより、テンプレートが再生される。【００４４】  図２は、テンプレートシナリオ１６の例を示す図である。図２に示すように、テンプレートシナリオ１６には、テンプレートを構成する各メディアデータの再生開始時刻、再生終了時刻および表示領域の情報が記述されている。例えば、図２に示すテンプレートシナリオ１６の第１行の「ｏｐｅｎ．ｍｐｇ」の動画については、再生開始時刻が０秒、再生終了時刻が３秒で、表示領域が（５，５，２００，２００）で囲まれる領域であることが記述されている。【００４５】  また、テンプレートシナリオ１６には、メディアデータを挿入可能な挿入可能部分が規定されている。挿入可能部分は、メディアデータの挿入可能期間および挿入範囲と挿入されるメディアデータの種類の情報とにより規定されている。本実施の形態では、挿入可能部分が再生されるときには、メディアデータの挿入範囲にガイド用メディアが表示される。これにより、メディアデータの挿入可能期間および挿入範囲を一目で把握できる。このガイド用メディアの情報もテンプレートシナリオ１６に記述されている。例えば、図２に示すテンプレートシナリオ１６の第３行は、再生時刻３〜１３秒において挿入範囲（５，５，２００，１５０）にガイド用メディアとして「ｉｍａｇｅ．ｊｐｇ」を表示することを記述している。なお、挿入可能部分に挿入するメディアデータが選択された場合には、ガイド用メディアは再生されない。【００４６】  図３は、図２に示すテンプレートを再生したときの画面表示を示す図である。再生時刻０〜３秒では「ｏｐｅｎ．ｍｐｇ」の固定メディア１４が再生され、図３に示すように「〜自己紹介〜」の画像が表示される。再生時刻３〜１３秒では、図２に示すテンプレートシナリオ１６に記述されているように「ｂａｃｋ１．ｊｐｇ」の固定メディア１４と２つのガイド用メディアが再生される。図３に示すように、動画像の挿入範囲であることを示す「ムービー」と記述された領域の画像と、テキストデータの挿入可能範囲であることを示す「テキスト１（名前）」と記述された領域の画像が表示される。【００４７】  図１に戻って、ユーザメディア記憶部１８について説明する。ユーザメディア記憶部１８は、ユーザにより取得されたユーザメディア２０を記憶する。ユーザメディア２０は、例えばインターネット等を通じてダウンロードされた動画像や、撮像手段により撮像された静止画像などである。ユーザメディア記憶部１８に記憶されたユーザメディア２０は、挿入可能部分に挿入されるメディアデータの候補となるデータである。【００４８】  コンテンツ記憶部２２は、テンプレートにメディアデータを挿入して作成されたコンテンツをコンテンツシナリオ２４の形式で記憶する。コンテンツシナリオ２４は、テンプレートシナリオ１６と同様に、コンテンツを構成するメディアデータの再生時間および表示領域を規定するものである。【００４９】  次に、制御部３０の構成について説明する。制御部３０において、再生制御部３２は、テンプレートまたはコンテンツを再生する機能を有する。テンプレートを再生する際に、テンプレートの挿入可能部分に挿入するメディアデータが選択されている場合には、選択されたメディアデータを挿入してテンプレートを再生する。【００５０】  制御部３０において、時間管理部３４は、再生中のテンプレートまたはコンテンツの再生時間を管理する機能を有する。【００５１】  挿入制御部３６は、挿入可能部分に挿入すべきメディアデータを選択させる機能を有する。【００５２】  シナリオ変換部３８は、挿入可能部分への挿入が確定されたメディアデータをテンプレートシナリオ１６に書き込み、コンテンツシナリオ２４を作成する機能を有する。【００５３】  以上、本実施の形態のコンテンツ作成装置１０の構成について説明した。なお、本実施の形態のコンテンツ作成装置１０は、図１に示す各構成要素を実現するモジュールを備えたプログラムをコンピュータに読み込むことにより実現することもでき、このようなプログラムも本発明の範囲に含まれる。【００５４】  次に、本実施の形態のコンテンツ作成装置１０の動作について説明する。図４〜図８は、コンテンツ作成装置１０の動作を示すフローチャートである。【００５５】  図４に示すように、まず、コンテンツ作成装置１０の制御部３０は、テンプレート記憶部１２に記憶されたテンプレートのファイル一覧を生成し、生成したテンプレートファイル���覧を出力部２８に渡す（Ｓ１０）。ファイル一覧を受け取った出力部２８が、テンプレートのファイル一覧を表示する（Ｓ１２）。【００５６】  図９は、出力部２８により表示されるテンプレートのファイル一覧の画面例を示す図である。図９に示すように、テンプレート一覧画面では、自己紹介のためのテンプレートや年賀状のためのテンプレート等、テンプレート記憶部１２に記憶されたテンプレートの名称が列挙される。この画面で一のテンプレートを選んで選択ボタンを押すと、入力部２６から制御部３０にテンプレート選択要求が伝えられ、編集対象のテンプレートが選択される。【００５７】  コンテンツ作成装置１０の制御部３０は、ユーザが入力部２６からテンプレートの選択要求を入力したか判定する（Ｓ１４）。制御部３０は、ユーザからの選択要求が入力されるまでこの判定を繰り返し行い、ユーザからのテンプレート選択要求を待つ。なお、図９に示す画面において「取消」ボタンが選択された場合には、コンテンツ作成装置１０の動作は終了する。【００５８】  ユーザによりテンプレートが選択され、入力部２６からテンプレートの選択要求が入力されると、入力部２６は制御部３０にテンプレートの選択要求を伝える。これを受けて制御部３０は、選択されたテンプレートの再生を再生制御部３２に要求する（Ｓ１６）。【００５９】  再生制御部３２は、テンプレート再生の要求を制御部３０から受け取ると、選択されたテンプレートをテンプレート記憶部１２から読み出し、再生スケジュールを生成する（Ｓ１８）。以下の説明では、図２に示すテンプレートが選択されたとする。再生制御部３２は、時間管理部３４に計時開始を指示し、これを受けて時間管理部３４が再生開始からの経過時間の計時を開始する（Ｓ２０）。【００６０】  引き続き、図５を参照して、コンテンツ作成装置１０の動作を説明する。再生制御部３２が時間管理部３４での計時結果を取得する（Ｓ２２）。再生制御部３２は、取得した計時結果に基づいて、再生終了時刻か否かを判定する（Ｓ２４）。図２に示す例では、テンプレートの再生終了時刻は２５秒である。従って、再生制御部３２は、計時結果が２５秒以上の場合には再生終了時刻であると判定し、計時結果が２５秒未満の場合には再生終了時刻ではないと判定する。この判定の結果、計時結果が再生終了時刻であると判定された場合には、コンテンツ作成装置１０の動作を終了する。【００６１】  計時結果が再生終了時刻でない場合、再生制御部３２は、テンプレートの再生スケジュールの中で再生時刻に達した固定メディア１４およびガイド用メディアを検索する（Ｓ２６）。ここでの検索は、テンプレートの各メディアの再生開始時刻に基づいて行う。図２に示す例では、計時結果が３秒の場合、「ｂａｃｋ１．ｊｐｇ」の固定メディア１４と、「ｉｍａｇｅ．ｊｐｇ」「ｔｅｘｔ１．ｔｘｔ」のガイド用メディアが検索される。再生制御部３２は、再生時刻に達したメディアの検索結果に基づき、該当メディアが存在するか否かの判定を行う（Ｓ２８）。この判定の結果、該当メディアがあると判定された場合、再生制御部３２は検索されたメディアデータを、テンプレート記憶部１２から読み出して出力部２８に渡す。出力部２８は、再生制���部３２から渡された該当メディアを出力する（Ｓ３０）。出力部２８は、該当メディアの種類に応じた形式で出力を行う。例えば、該当メディアが音声の場合には音声出力し、該当メディアが動画の場合には画像表示および音声出力を行う。なお、該当メディアがないと判定された場合には、コンテンツ作成装置１０の動作は、計時結果を取得するステップ（Ｓ２２）に移行する。ここまでは、コンテンツ作成装置１０がテンプレートの選択を受け付け、選択されたテンプレートを再生する動作である。【００６２】  続いて、テンプレート再生中に編集要求があったときの動作について説明する。以下の説明では、図１０Ａ〜図１０Ｄおよび図１１Ａ〜図１１Ｄの画面表示例を動作フローと併せて参照しつつ説明する。【００６３】  図５に示すように、コンテンツ作成装置１０は、テンプレート再生中に、ユーザからの編集要求が入力部２６に入力されたか否かを判定する（Ｓ３２）。編集要求を受け付けるため、出力部２８は、テンプレート再生中に画面の一部に編集ボタンを表示する。編集ボタンは、編集要求を入力するための入力部２６を構成する。図１０Ａでは、テンプレート再生領域の下方に編集ボタンが表示されている。なお、図１０Ａは、図２に示すテンプレートの再生時間１３〜２３秒を再生中の画面例である。編集ボタンを押すと、編集要求が入力部２６に入力される。【００６４】  編集要求が入力されたか否かの判定ステップＳ３２において、編集要求が入力されなかったと判定された場合には、コンテンツ作成装置１０の動作は、計時結果を取得するステップ（Ｓ２２）に移行し、テンプレートの再生を続ける。編集要求が入力部２６に入力されたと判定された場合には、図６に示すフローに移行する。【００６５】  図６に示すように、再生制御部３２は、編集要求が入力されると、テンプレートの再生を一時停止する。再生制御部３２は、時間管理部３４での計時結果を取得して制御部３０に伝える。また、再生制御部３２は、時間管理部３４での計時の一時停止要求を制御部３０に伝える（Ｓ３４）。制御部３０は、再生制御部３２からの要求に従い、時間管理部３４に計時の一時停止を要求する。時間管理部３４は、再生制御部３２から一時停止の要求を受けると、計時を一時停止する（Ｓ３６）。【００６６】  続いて、制御部３０は、挿入制御部３６に対し、ガイド用メディアの抽出を要求する（Ｓ３８）。この際、制御部３０は、再生中のテンプレートファイル名と現時点での再生経過時刻を示す計時結果とを挿入制御部３６に伝える。挿入制御部３６は、計時結果を用いて現時点の再生経過時刻を求め、テンプレートの現在再生中の部分からガイド用メディアを抽出する（Ｓ４０）。そして、挿入制御部３６は、ガイド用メディアが抽出されたか否かを判定する（Ｓ４２）。図２に示す例では、計時結果が３秒から２３秒のときガイド用メディアありと判定され、その他の時刻ではガイド用メディアなしと判定される。この判定により、ガイド用メディアなしと判定された場合は、挿入制御部３６は、入力された編集要求が無効である旨を制御部３０に通知する。制御部３０は、出力部２８に編集要求無効のメッセージを表示する（Ｓ４４）。出力部２８は、例えば「現在編集不可能です」等のメッセージを表示する。【００６７】  本実施の形態において、ガイド用メディアの有無の判定結果に応じて編集要求が有効か無効かを判定しているのは、図２にて説明したようにメディアデータの挿入可能部分にはガイド用メディアが再生されるためである。すなわち、ガイド用メディアの有無と挿入可能部分の有無とが一致しているので、ガイド用メディアの有無を判定することにより挿入可能部分の有無を判定できる。なお、ガイド用メディアの有無に基づく判定に代えて、挿入制御部３６にメディアデータの挿入可能か否かを問い合わせる構成とすることも可能である。【００６８】  ガイド用メディアの有無の判定ステップ（Ｓ４２）において、ガイド用メディアありと判定された場合には、挿入制御部３６は、検索されたガイド用メディアの一覧を出力部２８に渡す。これを受けた出力部２８は、ガイド用メディアに関する情報（メディア種別や識別番号等）の一覧を表示する（Ｓ４６）。図１０Ｂは、編集ボタンが押された時点の画面におけるガイド用メディアの一覧を表示する画面である。図１０Ｂに示す画面でガイド用メディアを選択することにより、メディアデータを挿入する編集対象の挿入可能部分を選択することができる。【００６９】  図１０Ｂに示す画面において、ユーザにより編集対象が選択されると、入力部２６が編集対象の選択の入力を受け付ける（Ｓ４８）。編集対象の選択の入力を受け付けると、コンテンツ作成装置１０の動作は、図７に示すフローに移行する。ここでは、編集対象として画像が選択されたとする。【００７０】  図７に示すように、編集対象の選択の入力を受け付けると、挿入制御部３６は、編集対象のテンプレートの挿入可能部分に挿入するメディアデータをユーザメディア記憶部１８から読み出すか否か判定する（Ｓ５０）。本実施の形態においては、この判定は挿入するメディアデータの種類に応じて行う例を示す。挿入するメディアデータがテキスト以外であった場合には、ユーザメディア記憶部１８から読み出す。挿入するメディアデータがテキストであった場合には、ユーザメディア記憶部１８からは読み出さず、入力部２６からの入力されたデータを挿入することとしている。まず、メディアデータをユーザメディア記憶部１８から読み出す場合について説明する。【００７１】  メディアデータをユーザメディア記憶部１８から読み出す場合、挿入制御部３６がユーザメディア記憶部１８を検索する。そして、挿入制御部３６は、検索されたユーザメディア２０の一覧を生成し、挿入可能部分に挿入可能なメディアデータの候補として出力部２８に渡す（Ｓ５２）。ここで、ユーザメディア２０の検索は、挿入可能部分のメディアの種類に基づいて行う。なお、挿入範囲のサイズや、挿入可能部分の時間長に基づき、検索を行ってもよい。検索された候補の一覧を受けた出力部２８は、メディアデータの候補の一覧を表示する（Ｓ５４）。【００７２】  図１０Ｃは、メディアデータの候補の一覧を表示し、挿入するメディアデータを選択させる画面である。挿入可能部分に挿入可能な画像として画像１から画像８まで表示されている。この画面において、一の画像を選んで選択ボタンを押すことにより挿入する画像を選択できる。【００７３】  続い���、コンテンツ作成装置１０は、入力部２６にメディアデータの選択の入力がなされたか否かを判定する（Ｓ５６）。コンテンツ作成装置１０は、ユーザからの選択が入力されるまでこの判定を繰り返し行い、ユーザからのメディアデータの選択の入力を待つ。【００７４】  ユーザによりいずれかの画像が選択されると、入力部２６は制御部３０にメディアデータの選択要求を伝える。制御部３０は、選択されたメディアデータのファイル名を一時記憶すると共に、再生制御部３２に選択されたメディアデータのファイル名を伝える（Ｓ５８）。【００７５】  図１２は、制御部３０に一時記憶する記憶領域の例を示す図である。図１２に示すように、制御部３０の記憶領域には、テンプレート中のそれぞれの挿入可能部分に挿入されるメディアデータの情報がユーザの選択要求に応じて一時記憶される。この情報は、新たなメディアデータが選択された場合には、書き換えられる。なお、メディアデータの書き換えを行う際に、書き換え前のメディアデータの情報を選択履歴として残す構成としてもよい。これにより、書き換え前の状態に容易に戻すことができる。【００７６】  次に、再生制御部３２は、時間管理部３４に計時再開を指示し、これを受けた時間管理部３４が計時を再開する（Ｓ６４）。そして、再生制御部３２が、一時停止されたところからテンプレートの再生を再開する。このとき、図１０Ｄに示すように、挿入可能部分の表示領域に、選択されたメディアデータを再生する（Ｓ６６）。メディアデータが選択された挿入可能部分では、ガイド用メディアの再生は行われない。【００７７】  なお、挿入可能部分に挿入されるメディアデータが動画である場合には、選択された動画の再生開始位置は、時間管理部３４からの指示に従って決定される。具体的には、時間管理部３４は、挿入可能部分の再生開始時点から、ステップＳ３６において再生が一時停止された時点までの経過時間を算出する。そして、再生制御部３２は、時間管理部３４によって算出された経過時間分だけ先頭からシフトした位置から、選択された動画の再生を開始する。これにより、テンプレート再生再開時点での挿入可能部分の再生経過時間と動画の再生開始位置からの経過時間とが一致し、作成されるコンテンツと同じ動画をプレビュー表示できる。図２に示すテンプレートシナリオ１６を例として説明すると、編集ボタンが押されてテンプレートの再生が一時停止したのが再生時間８秒の時点だとすると、挿入可能部分は再生時間が３秒の時点で再生開始されているので、テンプレートの再生が一時停止されるまでに経過した時間は、８−３＝５秒である。従って、選択された動画は、先頭から５秒経過した位置から再生される。【００７８】  次に、選択された挿入可能部分に挿入するメディアデータをユーザメディア記憶部１８から読み出さない場合について説明する。本実施の形態では、挿入可能部分に挿入されるメディアの種類がテキストである場合には、テキストデータをユーザメディア記憶部１８から読み出すのではなく、入力部２６から入力する。【００７９】  図１１Ａに示すように編集対象の選択画面でテキスト３が選択されたとする。入力部２６は、編集対象としてテキスト３が選択されたことを制御部３０���伝える。挿入制御部３６は、図７に示すように、テキスト入力の画面を出力部２８によって表示させる（Ｓ６０）。【００８０】  図１１Ｂは、テキストの入力画面を示す図である。図１１Ｂに示す画面においてテキストが入力され、決定ボタンが押されると、入力部２６が制御部３０にテキストデータを伝える。制御部３０は、入力部２６から伝えられたテキストデータを図１２に示す記憶領域に一時記憶する。また、制御部３０は、再生制御部３２にテキストデータを伝える（Ｓ６２）。【００８１】  この後、再生制御部３２が時間管理部３４に計時を再開させ（Ｓ６４）、テキストデータを挿入してテンプレートの再生を再開する（Ｓ６６）という動作は、メディアデータをユーザメディア記憶部１８から読み出した場合と同じである。図１１Ｃに示すように、テキストが挿入されたテンプレートが再生される。【００８２】  本実施の形態では、挿入するメディアデータをユーザメディア記憶部１８から読み出さない場合として、挿入するメディアデータの種類がテキストであるときにユーザが入力したテキストを挿入する場合を説明したがこれは一例に過ぎない。メディアデータがテキスト以外の動画、静止画、または／および、音声であるときにも、入力部２６からユーザが入力したデータを挿入する構成とすることも可能である。【００８３】  また図７のＳ５０における判定（挿入するメディアをユーザメディア記憶部１８から読み出すか否か）について、挿入可能なメディアデータの種類に応じて判定を行う例を説明したが、図２８に示すように、テンプレートシナリオに「挿入データ種別」のパラメータを記述し、このパラメータに基づいてＳ５０における判定を実行する構成とすることも可能である。この場合、挿入データ種別が「記憶済メディア」である場合には、挿入可能部分に挿入するメディアとして、ユーザメディア記憶部１８から読み出されたものを使用し、挿入データ種別が「ユーザ入力」である場合には、入力部２６から入力されたもの使用するように指定することができる。【００８４】  なお、メディアデータをユーザメディア記憶部１８から読み出すか、直接入力するかに関わらず、メディアデータを挿入してテンプレートを再生する画面（図１０Ｄ、図１１Ｃ参照）には、編集ボタンに加えて、確定ボタンが表示される。確定ボタンは、選択されたメディアデータでコンテンツ２４を作成することを確定し、コンテンツ２４を保存するためのボタンである。【００８５】  図８を用いて、確定ボタンが押されたときの動作について説明する。コンテンツ作成装置１０は、ユーザにより確定ボタンが押され、入力部２６から確定が入力されたか否かを判定する（Ｓ７０）。コンテンツ作成装置１０は、確定ボタンが表示されている間は繰り返しこの判定を行う。【００８６】  ユーザからメディアデータの確定が入力された場合、入力部２６が制御部３０に確定の選択を伝え、これを受けて制御部３０は、図１１Ｄに示す保存先の確認画面を出力部２８によって表示させる（Ｓ７２）。なお、この画面では保存先の変更を行うこともできる。そして、制御部３０は、保存先確認画面において、保存先ＯＫが選択されたか否かを判定する（Ｓ７４）。保存先ＯＫが選択された場合には、入力��２６が制御部３０に保存先ＯＫを伝え、制御部３０がシナリオ変換部３８にメディアデータの確定および保存先を伝える（Ｓ７６）。これを受けたシナリオ変換部３８は、制御部３０に一時記憶されたメディアデータの情報を用いてテンプレートシナリオ１６を書き換えてコンテンツシナリオ２４を作成し、指定された保存先に指定されたデータファイル名で保存する（Ｓ７８）。以上で、コンテンツ作成装置１０によるコンテンツ作成動作が完了する。【００８７】  図１３は、作成されたコンテンツシナリオ２４を示す図である。図１３に示すコンテンツシナリオ２４は、図２に示すテンプレートのテンプレートシナリオ１６と比較すると分かるように、テンプレートの挿入可能部分にユーザが選択したメディアデータ（図１３に下線を引いて示す）が挿入されて作成されている。【００８８】  図１４は、作成されたコンテンツシナリオ２４に従ってコンテンツを再生したときの画面例を示す図である。まず、再生時間０〜３秒においては、「〜自己紹介〜」の画像が表示される。これは、コンテンツの元となったテンプレートの固定メディア１４である。再生時間３〜１３秒においては、ユーザが選択した動画と、ユーザが入力した名前が表示される。再生時間１３〜２３秒においては、ユーザが選択した静止画と、ユーザが入力した生年月日、血液型、ひとことが表示される。最後に、再生時刻２３〜２５秒において、「〜おわり〜」の画像が表示される。これは、コンテンツの元となったテンプレートの固定メディア１４である。このように、基本となるテンプレートにユーザが選択したメディアデータを挿入することによりコンテンツ２４が作成される。【００８９】  以上、第１の発明の実施の形態のコンテンツ作成装置１０について説明した。【００９０】  第１の実施の形態のコンテンツ作成装置１０は、テンプレート再生中にテンプレートの編集を受け付けるための編集ボタンを表示する。その編集ボタンの押下に応じて、テンプレートに挿入するメディアデータを選択させる。そして、選択されたメディアデータを挿入してテンプレートの再生を行う。これにより、再生中のテンプレートを見ながら、挿入すべきメディアデータを選択することができるので、テンプレートに合ったメディアデータを選択可能となる。【００９１】  また、コンテンツ作成装置１０は、選択されたメディアデータの情報を制御部３０の記憶領域に一時記憶しておく。そして、確定ボタンの押下に応じて、一時記憶されたメディアデータの情報を用いてコンテンツシナリオ２４を作成する。これにより、一度メディアデータを選択した挿入可能部分についても、メディアデータの確定がなされるまでは、別のメディアデータに変更することができる。【００９２】  次に、本発明の第２の実施の形態のコンテンツ作成装置１０について説明する。【００９３】  第２の実施の形態のコンテンツ作成装置１０は、基本的な構成は図１に示す第１の実施の形態のコンテンツ作成装置１０と同じであるが、テンプレートへのメディアデータの挿入の方法が異なる。【００９４】  図１５は、第２の実施の形態のテンプレートシナリオ１６の例を示す図である。第２の実施の形態のテンプレートシナリオ１６は、第１の実施の形態におけるテ���プレートシナリオ１６と同様に、各メディアの再生開始時刻および終了時刻の情報と表示領域の情報とを有する。ただし、第２の実施の形態におけるテンプレートシナリオ１６では、挿入可能部分の表示領域の情報を有しておらず、またガイド用メディアを有しない。【００９５】  図１６は、図１５に示すテンプレートを再生したときの画面表示を示す図である。再生時刻０〜３秒では「ｏｐｅｎ．ｍｐｇ」の固定メディア１４が再生され、図１６に示すように「〜自己紹介〜」の画像が表示される。再生時刻３〜１３秒では「ｂａｃｋ１．ｊｐｇ」の背景画像、再生時刻１３〜２３秒では「ｂａｃｋ２．ｊｐｇ」の背景画像が再生される。再生時刻３〜２３秒はメディアデータの挿入可能期間であるが、第１の実施の形態と異なりガイド用メディアの表示はされない。再生時刻２３〜２５秒では、「ｅｎｄ．ｍｐｇ」の固定メディア１４が再生され、図１６に示すように「〜おわり〜」の画像が表示される。【００９６】  次に、第２の実施の形態のコンテンツ作成装置１０の動作について説明する。【００９７】  図１７〜図２０は、第２の実施の形態のコンテンツ作成装置１０の動作を示すフローチャートである。図１７に示すように、コンテンツ作成装置１０は、テンプレート記憶部１２に記憶されたテンプレートの情報からファイル一覧を生成する（Ｓ８０）。コンテンツ作成装置１０は、生成されたファイル一覧を画面に表示し（Ｓ８２）、ユーザからテンプレート選択要求が入力されたか否かを繰り返し判定する（Ｓ８４）。そして、テンプレート選択要求が入力されると、再生制御部３２にテンプレートの再生を要求し（Ｓ８６）、再生制御部３２が選択されたテンプレートに基づいて再生スケジュールを生成する（Ｓ８８）。ここまでの動作は、第１の実施の形態と同じである。【００９８】  次に、コンテンツ作成装置１０は、再生制御部３２が読み出したテンプレートを挿入制御部３６に渡し、挿入制御部３６がテンプレートから挿入可能期間の情報を抽出する（Ｓ９０）。図１５に示す例では、再生時間が３〜１３秒、１３〜２３秒が挿入可能期間として抽出される。挿入制御部３６は、抽出した挿入可能期間の情報を記憶しておく。続いて、再生制御部３２は、時間管理部３４に計時開始を指示し、時間管理部３４に計時を開始させる（Ｓ９２）。【００９９】  図１８に移って、再生制御部３２は、時間管理部３４の計時結果を取得し（Ｓ９４）、取得した計時結果が再生終了時刻か否かを判定する（Ｓ９６）。判定の結果、計時結果が再生終了時刻である場合には、コンテンツ作成装置１０の動作を終了する。【０１００】  計時結果が再生終了時刻でない場合には、再生制御部３２は、制御部３０を介して挿入制御部３６に計時結果を伝える（Ｓ９８）。挿入制御部３６は、計時結果と、ステップＳ９０で抽出した挿入可能期間の情報とに基づいて、再生時刻が挿入可能期間に入ったか否かを判定する（Ｓ１００）。判定の結果、挿入可能期間に入っていないと判定された場合には、再生制御部３２が、再生スケジュールの中で再生時刻に達したメディアを検索し（Ｓ１０２）、該当メディアがあるか否かを判定する（Ｓ１０４）。再生時刻に達したメディアがある場合には、再生制御部３２は、該���メディアを出力する（Ｓ１０６）。再生時刻に達したメディアがない場合には、再生制御部３２は、時間管理部３４で計時結果を取得するステップＳ９４に移行する。再生時刻が挿入可能期間に入ったと判定された場合には、図１９に示すフローチャートに移行する。【０１０１】  再生時刻が挿入可能期間に入ったと判定された場合には、挿入制御部３６は、制御部３０を介して再生制御部３２に挿入可能期間に入ったことを伝える（Ｓ１０８）。これを受けて、再生制御部３２は、テンプレートの再生を一時停止し、時間管理部３４での計時結果を取得する。続いて、再生制御部３２は、制御部３０に、時間管理部３４での計時結果を伝えると共に、時間管理部３４の一時停止要求を伝える（Ｓ１１０）。これを受けて制御部３０は、時間管理部３４に計時の一時停止を要求し、時間管理部３４は計時を一時停止する（Ｓ１１２）。【０１０２】  続いて、制御部３０は、挿入制御部３６に挿入操作準備が完了したことを通知する（Ｓ１１４）。挿入制御部３６は、ユーザメディア記憶部１８を検索してユーザメディア２０の一覧を生成し、メディアデータの候補として出力部２８に渡す（Ｓ１１６）。出力部２８は、挿入制御部３６から渡されたメディアデータの候補の一覧を表示する（Ｓ１１８）。【０１０３】  引き続き、図２０を用いてコンテンツ作成装置１０の動作について説明する。コンテンツ作成装置１０は、メディアデータの候補の一覧が表示された画面において、ユーザが入力部２６からメディアデータを選択したか否か判定する（Ｓ１２０）。この判定は、メディアデータが選択されるまで繰り返し行われ、メディアデータが選択されるのを待つ。【０１０４】  メディアデータが選択された場合、入力部２６が制御部３０にメディアデータの選択要求を伝え、制御部３０が再生制御部３２にメディアデータのファイル名を伝える（Ｓ１２２）。【０１０５】  続いて、再生制御部３２は、時間管理部３４に計時再開を指示し、時間管理部３４が計時を再開する（Ｓ１２４）。再生制御部３２は、テンプレートの再生を再開する。このとき、再生制御部３２は、選択されたメディアデータをテンプレートに重ねて再生する（Ｓ１２６）。【０１０６】  テンプレートの再生中に、メディアデータの確定が入力されたときの動作は、第１の実施の形態のコンテンツ作成装置１０と同じである。【０１０７】  図２１は、作成されたコンテンツシナリオ２４を示す図である。図２１に示すコンテンツシナリオ２４は、図１５に示すテンプレートのテンプレートシナリオ１６と比較すると分かるように、テンプレートの挿入可能期間にユーザが選択したメディアデータ（図２１に下線を引いて示す）が挿入されて作成されている。例えば、再生時刻３〜１３秒の挿入可能期間のうちの４〜１２秒に「ｍｙ−ｖｉｄｅｏ１．ｍｐｇ」のメディアデータが再生されることが記述されている。【０１０８】  図２２は、作成されたコンテンツ２４を再生したときの画面例を示す図である。まず、再生時間０〜３秒においては、「〜自己紹介〜」の画像が表示される。これは、コンテンツの元となったテンプレートの固定メディア１４である。再生時刻３〜１３秒においては、「ｂａｃｋ１．ｊｐｇ」の背景画像が再生表示されるが、そのうちの再生時刻４〜１２秒においてはユーザにより選択された「ｍｙ−ｖｉｄｅｏ１．ｍｐｇ」のメディアデータが背景画像に重ねて再生表示される。また、再生時刻１３〜２３秒においては、「ｂａｃｋ２．ｊｐｇ」の背景画像が再生表示されるが、そのうちの再生時刻１４〜２０秒においてはユーザにより選択された「ｍｙ−ｖｉｄｅｏ２．ｍｐｇ」のメディアデータが背景画像に重ねて再生表示される。最後に、再生時刻２３〜２５秒において、「〜おわり〜」の画像が表示される。これは、コンテンツの元となったテンプレートの固定メディア１４である。このように、基本となるテンプレートにユーザが選択したメディアデータを挿入することによりコンテンツが作成される。【０１０９】  以上、第２の発明の実施の形態のコンテンツ作成装置１０について説明した。【０１１０】  第２の実施の形態のコンテンツ作成装置１０は、第１の実施の形態のコンテンツ作成装置１０と同様に、再生中のテンプレートを見ながら、挿入すべきメディアデータを選択することができるので、テンプレートに合ったメディアデータを選択可能となる。【０１１１】  また、第２の実施の形態のコンテンツ作成装置１０は、挿入可能期間のうちの一部にメディアデータを挿入することができるので、メディアデータを挿入する時間的な範囲をユーザが自由に選択することができる。【０１１２】  次に、第２の実施の形態の変形例について説明する。変形例に係るコンテンツ作成装置１０では、挿入可能期間に挿入されたメディアデータを固定メディアに重ねて再生するのではなく、挿入可能期間にメディアデータの再生期間を割り込ませる形でメディアデータを挿入する。【０１１３】  図２３は、挿入期間にメディアデータの再生時間を作成したコンテンツシナリオ２４を示す図である。図２３に示すコンテンツシナリオ２４は、８〜１６秒に「ｍｙ−ｖｉｄｅｏ１．ｍｐｇ」のメディアデータが挿入されている。図１５に示すテンプレートのテンプレートシナリオ１６と比較すると分かるように、最初３〜１３秒であった「ｂａｃｋ１．ｊｐｇ」の再生時間中に、再生時刻８秒の時点から８秒間のメディアデータ（図２３に下線を引いて示す）が挿入されている。これにより、「ｂａｃｋ１．ｊｐｇ」の再生時間が３〜８秒、１６〜２１秒となる。これに伴い、「ｂａｃｋ２．ｊｐｇ」の再生開始時刻が８秒間繰り下がっている。同様に、「ｂａｃｋ２．ｊｐｇ」にも６秒間のメディアデータが挿入されており、テンプレートの総再生時間は８＋６＝１４秒間延長されている。【０１１４】  図２４は、図２３に示すコンテンツ２４を再生したときの画面例を示す図である。まず、再生時間０〜３秒においては、「〜自己紹介〜」の画像が表示される。再生時刻３〜８秒と再生時刻１６〜２１秒においては、「ｂａｃｋ１．ｊｐｇ」の背景画像が再生表示され、その間の再生時刻８〜１６秒にユーザにより選択された「ｍｙ−ｖｉｄｅｏ１．ｍｐｇ」のメディアデータが再生表示される。図２４から分かるように、再生時刻８〜１６秒においては、メディアデータは背景画像に重ねて表示されるのではなく、メディアデータはその再生時間分だけテンプレートに割り込んでいる。また、再生時刻２１〜２５秒と再生時刻３１〜３７秒においては、「ｂａｃｋ２．ｊｐｇ」の背景画像が再生表示され、その間の再生時刻２５〜３１秒においてはユーザにより選択された「ｍｙ−ｖｉｄｅｏ２．ｍｐｇ」のメディアデータが再生表示される。最後に、再生時刻３７〜３９秒において、「〜おわり〜」の画像が表示される。【０１１５】  図２５および図２６は、第２の実施の形態とその変形例の相違を説明するための図である。図２５に示すように、第２の実施の形態のコンテンツ作成装置１０では、挿入可能期間内にメディアデータが挿入され、テンプレートと共に再生される。変形例に係るコンテンツ作成装置１０では、挿入可能期間内のある時点（ここでは、再生時刻８秒および２５秒）から挿入されたメディアデータの再生が開始され、その間はテンプレートの再生が一時停止される。そして、メディアデータの再生終了後からテンプレートの続きが再生される。従って、作成されるコンテンツ２４の総時間は挿入されたメディアデータの再生時間分だけ延長される。【０１１６】  なお、この変形例において、時間的な幅を持った挿入可能期間に代えて、時間的な幅を持たない時刻を挿入可能時刻として規定することもできる。これにより、テンプレートの挿入可能時刻においてメディアデータの挿入を行えば、挿入可能時刻からメディアデータの再生が開始されるコンテンツを作成できる。【０１１７】  以上、本発明のコンテンツ作成装置１０について実施の形態を挙げて説明したが、本発明は上記した実施の形態に限定されるものではない。【０１１８】  上記した実施の形態では、編集対象を選択する画面（図１０Ｂ）で編集対象の選択を受け付ける構成について説明したが、異なる方式で編集対象の選択を受け付けてもよい。例えば、図２７に示すように、再生を一時停止した画面において、編集対象となる挿入可能部分に当てるフォーカスを切り替えることによって編集対象を選択させてもよい。【０１１９】  また、上記した実施の形態においては、動画、静止画、テキストをメディアデータとして挿入する例について説明したが、音声などの他のメディアデータを挿入することも可能である。メディアデータが音声の場合、図２７に示すように、例えば音符のマークを表示して、ユーザに音声データ挿入可能であることを知らせる。【０１２０】  また、上記した実施の形態においては、あらかじめ取得済み、あるいは撮影済みの動画、静止画をユーザメディアとして挿入する例について説明したが、挿入可能部分の開始タイミングでカメラなどの撮像手段を起動し、動画や静止画を撮影しながら、テンプレートに挿入する構成とすることも可能である。【０１２１】  また、上記した実施の形態においては、挿入されるメディアデータの種類がテキストである場合には、ユーザにより入力されたテキストデータを挿入する例について説明したが、メディアデータがテキストである場合にもあらかじめユーザメディア記憶部１８に記憶されたテキストデータから選択する構成とすることも可能である。【０１２２】  また、上記した実施の形態では、テンプレート再生中には常に編集ボタンを表示し、編集ボタンの押下に応じてテンプレートへの挿入可能部分を有するか否かを判定する構成としたが、挿入可能部分を再生中にのみ編集��タンを表示する構成とすることも可能である。【０１２３】  また、上記した実施の形態では、挿入可能部分に挿入するメディアデータが選択されたときには確定ボタンを表示することとしたが、テンプレート中のすべての挿入可能部分に対してメディアデータが選択されたときに初めて確定ボタンを表示することとしてもよい。【０１２４】  なお、上記の実施の形態におけるテンプレートシナリオ、コンテンツシナリオの記述方法としては、複数メディアのレイアウトと再生時間を記述できるＳＭＩＬ（Ｗ３Ｃ規格）を利用することができるが、これに限定されるものではない。【０１２５】  以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１２６】  以上説明したように、本発明は、作成されるマルチメディアテンプレートを確認しつつ、マルチメディアテンプレートに合ったメディアデータを選択できるというすぐれた効果を有し、マルチメディアコンテンツを作成するコンテンツ作成装置等として有用である。
【図１】
2005076188.tif 000002
【図２】
2005076188.tif 000003
【図３】
2005076188.tif 000004
【図４】
2005076188.tif 000005
【図５】
2005076188.tif 000006
【図６】
2005076188.tif 000007
【図７】
2005076188.tif 000008
【図８】
2005076188.tif 000009
【図９】
2005076188.tif 000010
【図１０Ａ】
2005076188.tif 000011
【図１０Ｂ】
2005076188.tif 000012
【図１０Ｃ】
2005076188.tif 000013
【図１０Ｄ】
2005076188.tif 000014
【図１１Ａ】
2005076188.tif 000015
【図１１Ｂ】
2005076188.tif 000016
【図１１Ｃ】
2005076188.tif 000017
【図１１Ｄ】
2005076188.tif 000018
【図１２】
2005076188.tif 000019
【図１３】
2005076188.tif 000020
【図１４】
2005076188.tif 000021
【図１５】
2005076188.tif 000022
【図１６】
2005076188.tif 000023
【図１７】
2005076188.tif 000024
【図１８】
2005076188.tif 000025
【図１９】
2005076188.tif 000026
【図２０】
2005076188.tif 000027
【図２１】
2005076188.tif 000028
【図２２】
2005076188.tif 000029
【図２３】
2005076188.tif 000030
【図２４】
2005076188.tif 000031
【図２５】
2005076188.tif 000032
【図２６】
2005076188.tif 000033
【図２７】
2005076188.tif 000034
【図２８】
2005076188.tif 000035
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
メディアデータを挿入可能なマルチメディアテンプレートを再生する再生手段と、
前記再生手段による前記マルチメディアテンプレートの再生中に、前記マルチメディアテンプレートに挿入するメディアデータの選択に関わるユーザの指示を受け付けるメディアデータ受付手段と、
前記メディアデータ受付手段を介して選択されたメディアデータを挿入して前記マルチメディアテンプレートを前記再生手段に再生させる制御手段と、
前記メディアデータ受付手段を介して選択されたメディアデータの確定に応じて、前記マルチメディアテンプレートと前記確定されたメディアデータとに基づいてマルチメディアコンテンツを作成するマルチメディアコンテンツ作成手段と、
を備えたことを特徴とするコンテンツ作成装置。
【請求項２】
前記再生手段は、ユーザからのメディアデータ選択開始の指示があってからメディアデータ選択完了までの間、前記マルチメディアテンプレートの再生を停止することを特徴とする請求項１に記載のコンテンツ作成装置。
【請求項３】
前記マルチメディアテンプレートの再生中に、前記メディアデータを挿入可能な期間に関連して、ユーザにメディアデータの選択を促す手段を備えたことを特徴とする請求項１に記載のコンテンツ作成装置。
【請求項４】
前記選択を促す手段は、前記挿入可能な期間の開始時に、前記マルチメディアテンプレートの再生を停止することを特徴とする請求項３に記載のコンテンツ作成装置。
【請求項５】
前記選択を促す手段は、前記挿入可能な期間にメディアデータの選択受付可能な期間であることをユーザに提示することを特徴とする請求項３に記載のコンテンツ作成装置。
【請求項６】
前記選択を促す手段は、前記メディアデータの選択候補に関する情報を画面に表示することを特徴とする請求項３に記載のコンテンツ作成装置。
【請求項７】
前記再生手段は、前記メディアデータを挿入する挿入範囲を画像として、再生中のマルチメディアテンプレートに表示することを特徴とする請求項１に記載のコンテンツ作成装置。
【請求項８】
前記挿入範囲を表示する画像の選択に応じて、前記挿入範囲へのメディアデータの挿入を受け付けることを特徴とする請求項７に記載のコンテンツ作成装置。
【請求項９】
前記制御手段は、前記メディアデータ受付手段を介して選択されたメディアデータの再生を開始する位置を、前記メディアデータを挿入可能な部分の再生開始から前記メディアデータ受付手段によるメディアデータの受付けまでに経過した前記マルチメディアテンプレートの再生時間分だけ、前記メディアデータの先頭からシフトすることを特徴とする請求項１に記載のコンテンツ作成装置。
【請求項１０】
前記メディアデータ受付手段は、撮像手段により撮像中の動画像または静止画像を前記マルチメディアテンプレートに挿入するメディアデータとする指示を受付可能であることを特徴とする請求項１に記載のコンテンツ作成装置。
【請求項１１】
メディアデータを挿入可能なマルチメディアテンプレートを再生し、
前記マルチメディアテンプレートの再生中に、前記マルチメディアテンプレートに挿入するメディアデータの選択に関わるユーザの指示の入力を受け付け、
入力されたユーザの指示により選択されたメディアデータを挿入して前記マルチメディアテンプレートを再生し、
入力されたユーザの指示により選択されたメディアデータの確定に応じて、前記マルチメディアテンプレートと前記確定されたメディアデータとに基づいてマルチメディアコンテンツを作成する、
ことを特徴とするコンテンツ作成方法。
【請求項１２】
マルチメディアコンテンツを作成するためのプログラムであって、
メディアデータを挿入可能なマルチメディアテンプレートを再生し、
前記マルチメディアテンプレートの再生中に、前記マルチメディアテンプレートに挿入するメディアデータの選択に関わるユーザの指示の入力を受け付け、
入力されたユーザの指示により選択されたメディアデータを挿入して前記マルチメディアテンプレートを再生し、
入力されたユーザの指示により選択されたメディアデータの確定に応じて、前記マルチメディアテンプレートと前記確定されたメディアデータとに基づいて動画像コンテンツを作成する、
処理をコンピュータに実行させることを特徴とするプログラム。
【手続補正２】
【補正対象書類名】明細書
【補正対象項目名】全文
【補正方法】変更
【補正の内容】
【発明の詳細な説明】
【技術分野】
【０００１】
本発明は、マルチメディアコンテンツを作成する装置および方法に関する。
【背景技術】
【０００２】
従来から、画像、音声、文字列等のメディアデータからなるマルチメディアコンテンツが、例えば、携帯電話等で利用されている。このようなマルチメディアコンテンツを、一般のユーザが容易に作成できるようにするための方法が知られている。この方法は、例えば、特開２００３−２８１４６１号公報に開示されている。
【０００３】
この特許文献には、改変不能な基幹部分とユーザが編集可能な範囲を含むマルチメディアテンプレートをユーザに提供し、マルチメディアテンプレートの編集可能な範囲にあてはめるメディアデータをユーザに選択させる方法が記載されている。上記の特許文献に記載された方法は、編集対象のマルチメディアテンプレートを読み出したときに、編集可能なタイミングと選択可能なメディアデータを列挙してユーザに提示し、ユーザからの編集操作の入力を受け付ける。そして、マルチメディアテンプレートの編集終了後に必要に応じて、編集されたマルチメディアデータをプレビュー表示する。その後、ユーザにより編集終了の指示がなされたときに編集を終了し、編集されたマルチメディアデータを出力する。
【発明の開示】
【発明が解決しようとする課題】
【０００４】
上記の特許文献に記載された方法では、編集操作の入力をすべて受け付けた後に、必要に応じてプレビュー表示する。従って、編集操作を行うときには出来上がりのコンテンツが分からず、マルチメディアテンプレートの内容に合ったメディアデータを選択するのが困難である。特に、携帯端末では入出力インターフェースが制限されているため、マルチメディアテンプレートと選択すべきメディアデータの両方を同時に再生して内容を確認することが難しい。従って、マルチメディアテンプレートに合ったメディアデータを選択してマルチメディアコンテンツを作成することが困難である。
【０００５】
本発明は、上記背景に鑑み、マルチメディアテンプレートに合ったメディアデータを選択してコンテンツを作成できるコンテンツ作成装置およびコンテンツ作成方法を提供することを目的とする。
【課題を解決するための手段】
【０００６】
本発明のコンテンツ作成装置は、メディアデータを挿入可能なマルチメディアテンプレートを再生する再生手段と、再生手段によるマルチメディアテンプレートの再生中に、マルチメディアテンプレートに挿入するメディアデータの選択に関わるユーザの指示を受け付けるメディアデータ受付手段と、メディアデータ受付手段を介して選択されたメディアデータを挿入してマルチメディアテンプレートを再生手段に再生させる制御手段と、メディアデータ受付手段を介して選択されたメディアデータの確定に応じて、マルチメディアテンプレートと確定されたメディアデータとに基づいてマルチメディアコンテンツを作成するマルチメディアコンテンツ作成手段とを備える。
【０００７】
上記の再生手段は、ユーザからのメディアデータ選択開始の指示があってからメディアデータ選択完了までの間、マルチメディアテンプレートの再生を停止してもよい。
【０００８】
また、本発明のコンテンツ作成装置は、マルチメディアテンプレートの再生中に、メディアデータを挿入可能な期間に関連して、ユーザにメディアデータの選択を促す手段を備えてもよい。ここで、選択を促す手段は、（１）挿入可能な期間の開始時に、マルチメディアテンプレートの再生を停止してもよく、（２）挿入可能な期間にメディアデータの選択受付可能な期間であることをユーザに提示してもよく、（３）メディアデータの選択候補に関する情報を画面に表示してもよい。
【０００９】
また、本発明のコンテンツ作成装置において、再生手段は、メディアデータを挿入する挿入範囲を画像として、再生中のマルチメディアテンプレートに表示してもよい。マルチメディアテンプレートに表示された挿入範囲の画像の選択に応じて、挿入範囲へのメディアデータの挿入を受け付けてもよい。
【００１０】
また、本発明のコンテンツ作成装置において、制御手段は、メディアデータ受付手段を介して選択されたメディアデータの再生を開始する位置を、メディアデータを挿入可能な部分の再生開始からメディアデータ受付手段によるメディアデータの受付けまでに経過したマルチメディアテンプレートの再生時間分だけ、メディアデータの先頭からシフトしてもよい。
【００１１】
また、本発明のコンテンツ作成装置において、メディアデータ受付手段は、撮像手段により撮像中の動画像または静止画像をマルチメディアテンプレートに挿入するメディアデータとする指示を受付可能としてもよい。
【００１２】
本発明のコンテンツ作成方法は、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいてマルチメディアコンテンツを作成する。
【００１３】
本発明のプログラムは、マルチメディアコンテンツを作成するためのプログラムであって、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいて動画像コンテンツを作成する処理をコンピュータに実行させる。
【００１４】
以下に、説明するように、本発明には他の態様が存在する。したがって、この発明の開示は、本発明の一部の態様の提供を意図しており、ここで記述され請求される発明の範囲を制限することは意図していない。
【発明を実施するための最良の形態】
【００１５】
以下に、本発明の詳細な説明を述べる。ただし、詳細な説明と添付の図面は、発明を限定するものではない。代わりに、発明の範囲は添付の請求の範囲により規定される。
【００１６】
本実施の形態のコンテンツ作成装置は、メディアデータを挿入可能なマルチメディアテンプレートを再生する再生手段と、再生手段によるマルチメディアテンプレートの再生中に、マルチメディアテンプレートに挿入するメディアデータの選択に関わるユーザの指示を受け付けるメディアデータ受付手段と、メディアデータ受付手段を介して選択されたメディアデータを挿入してマルチメディアテンプレートを再生手段に再生させる制御手段と、メディアデータ受付手段を介して選択されたメディアデータの確定に応じて、マルチメディアテンプレートと確定されたメディアデータとに基づいてマルチメディアコンテンツを作成するマルチメディアコンテンツ作成手段とを備える。
【００１７】
この構成により、マルチメディアテンプレートの再生中にメディアデータの選択を受け付け、選択されたメディアデータを挿入してマルチメディアテンプレートを再生するので、作成されるマルチメディアテンプレートを確認しつつ、マルチメディアテンプレートに合ったメディアデータを選択できる。また、選択されたメディアデータの確定に応じて初めてマルチメディアコンテンツを作成する構成であるので、メディアデータの確定をするまでは、いったん選択されたメディアデータを新たに選択された他のメディアデータに容易に変更できる。また、メディアデータの選択履歴を保持する構成とすれば、選択内容を元に戻す操作により、以前に選択したメディアデータを挿入して再生することが容易になる。
【００１８】
再生手段は、ユーザからのメディアデータ選択開始の指示があってからメディアデータ選択完了までの間、マルチメディアテンプレートの再生を停止してもよい。
【００１９】
この構成により、メディアデータの選択中にマルチメディアテンプレートの再生が停止するので、時間をかけてメディアデータを選択することができる。
【００２０】
また、このコンテンツ作成装置は、マルチメディアテンプレートの再生中に、メディアデータを挿入可能な期間に関連して、ユーザにメディアデータの選択を促す手段を備えてもよい。
【００２１】
この構成により、メディアデータの選択をユーザに促すことができる。例えば、メディアデータの挿入可能な期間が開始することを、その期間が開始する前にユーザに知らせてメディアデータの選択を促すことも可能である。
【００２２】
選択を促す手段は、挿入可能な期間の開始時に、マルチメディアテンプレートの再生を停止してもよい。
【００２３】
この構成により、挿入可能な期間が開始するタイミングでメディアデータの選択を行える。
【００２４】
選択を促す手段は、挿入可能な期間にメディアデータの選択受付可能な期間であることをユーザに提示してもよい。
【００２５】
この構成により、メディアデータを選択可能であることをユーザに提示できる。特に、音声のようにメディアを挿入する範囲がマルチメディアテンプレートの再生画面に表示されない場合には、この構成が有効である。
【００２６】
選択を促す手段は、メディアデータの選択候補に関する情報を画面に表示してもよい。
【００２７】
この構成により、メディアデータを速やかに選択可能となる。
【００２８】
また、このコンテンツ作成装置において、再生手段は、メディアデータを挿入する挿入範囲を画像として、再生中のマルチメディアテンプレートに表示してもよい。
【００２９】
この構成により、マルチメディアテンプレート中でメディアデータが挿入される範囲を知らせるので、その範囲に合ったメディアデータを選択可能となる。
【００３０】
マルチメディアテンプレートに表示された挿入範囲の画像の選択に応じて、挿入範囲へのメディアデータの挿入を受け付けてもよい。
【００３１】
この構成により、再生中のマルチメディアテンプレートに複数の挿入範囲が存在する場
合のメディアデータ選択のインターフェースを分かりやすくできる。これにより、例えば、選択したメディアデータを意図した挿入範囲と異なる挿入範囲に入れてしまう可能性を低減できる。
【００３２】
また、このコンテンツ作成装置において、制御手段は、メディアデータ受付手段を介して選択されたメディアデータの再生を開始する位置を、メディアデータを挿入可能な部分の再生開始からメディアデータ受付手段によるメディアデータの受付けまでに経過したマルチメディアテンプレートの再生時間分だけ、メディアデータの先頭からシフトしてもよい。
【００３３】
この構成により、挿入可能な部分の再生開始からの経過時間に応じてメディアデータの再生開始位置をシフトするので、メディアデータが選択されたタイミングによらず、テンプレートで指定された固定メディア（背景画像やＢＧＭなど）と同期して合成しながら、選択されたユーザメディアの再生を行うことができる。
【００３４】
また、このコンテンツ作成装置において、メディアデータ受付手段は、撮像手段により撮像中の動画像または静止画像をマルチメディアテンプレートに挿入するメディアデータとする指示を受付可能としてもよい。
【００３５】
この構成により、撮像中の画像をそのまま利用して、マルチメディアコンテンツを作成できる。
【００３６】
本実施の形態のコンテンツ作成方法は、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいてマルチメディアコンテンツを作成する。
【００３７】
この構成により、上記したコンテンツ作成装置と同様に、作成されるマルチメディアテンプレートを確認しつつ、マルチメディアテンプレートに合ったメディアデータを選択できる。また、このコンテンツ作成方法に、上記したコンテンツ作成装置の各種の構成を適用することも可能である。
【００３８】
本実施の形態のプログラムは、マルチメディアコンテンツを作成するためのプログラムであって、メディアデータを挿入可能なマルチメディアテンプレートを再生し、マルチメディアテンプレートの再生中に、マルチメディアテンプレートに挿入するメディアデータの選択に関わるユーザの指示の入力を受け付け、入力されたユーザの指示により選択されたメディアデータを挿入してマルチメディアテンプレートを再生し、入力されたユーザの指示により選択されたメディアデータの確定に応じて、マルチメディアテンプレートと確定されたメディアデータとに基づいて動画像コンテンツを作成する処理をコンピュータに実行させる。
【００３９】
この構成により、上記したコンテンツ作成装置と同様に、作成されるマルチメディアテンプレートを確認しつつ、マルチメディアテンプレートに合ったメディアデータを選択できる。また、このプログラムに、上記したコンテンツ作成装置の各種の構成を適用することも可能である。
【００４０】
以下、本発明の実施の形態のコンテンツ作成装置について図面を用いて説明する。
【００４１】
図１は、コンテンツ作成装置１０の構成を示す図である。コンテンツ作成装置１０は、マルチメディアコンテンツ（以下、「コンテンツ」という）を作成するための装置である。本実施の形態において、コンテンツ作成装置１０は、例えば、携帯電話、携帯情報端末である。図１に示すように、コンテンツ作成装置１０は、マルチメディアテンプレート（以下、「テンプレート」という）を記憶するテンプレート記憶部１２と、ユーザメディア２０を記憶するユーザメディア記憶部１８と、コンテンツシナリオ２４を記憶するコンテンツ記憶部２２と、ユーザインターフェースを構成する入力部２６および出力部２８と、全体を制御する制御部３０とを備えている。
【００４２】
テンプレート記憶部１２には、動画、静止画、音声、テキスト等の各種のメディアデータの再生開始時刻、再生終了時刻、および表示領域を規定するテンプレートシナリオ１６と、テンプレートシナリオ１６に従って再生されるメディア（以下、「固定メディア」という）１４とが記憶されている。固定メディア１４がテンプレートシナリオ１６に従って再生されることにより、テンプレートが再生される。
【００４３】
図２は、テンプレートシナリオ１６の例を示す図である。図２に示すように、テンプレートシナリオ１６には、テンプレートを構成する各メディアデータの再生開始時刻、再生終了時刻および表示領域の情報が記述されている。例えば、図２に示すテンプレートシナリオ１６の第１行の「open.mpg」の動画については、再生開始時刻が０秒、再生終了時刻が３秒で、表示領域が（5,5,200,200）で囲まれる領域であることが記述されている。
【００４４】
また、テンプレートシナリオ１６には、メディアデータを挿入可能な挿入可能部分が規定されている。挿入可能部分は、メディアデータの挿入可能期間および挿入範囲と挿入されるメディアデータの種類の情報とにより規定されている。本実施の形態では、挿入可能部分が再生されるときには、メディアデータの挿入範囲にガイド用メディアが表示される。これにより、メディアデータの挿入可能期間および挿入範囲を一目で把握できる。このガイド用メディアの情報もテンプレートシナリオ１６に記述されている。例えば、図２に示すテンプレートシナリオ１６の第３行は、再生時刻３〜１３秒において挿入範囲（5,5,200,150）にガイド用メディアとして「image.jpg」を表示することを記述している。なお、挿入可能部分に挿入するメディアデータが選択された場合には、ガイド用メディアは再生されない。
【００４５】
図３は、図２に示すテンプレートを再生したときの画面表示を示す図である。再生時刻０〜３秒では「open.mpg」の固定メディア１４が再生され、図３に示すように「〜自己紹介〜」の画像が表示される。再生時刻３〜１３秒では、図２に示すテンプレートシナリオ１６に記述されているように「back1.jpg」の固定メディア１４と２つのガイド用メディアが再生される。図３に示すように、動画像の挿入範囲であることを示す「ムービー」と記述された領域の画像と、テキストデータの挿入可能範囲であることを示す「テキスト１（名前）」と記述された領域の画像が表示される。
【００４６】
図１に戻って、ユーザメディア記憶部１８について説明する。ユーザメディア記憶部１８は、ユーザにより取得されたユーザメディア２０を記憶する。ユーザメディア２０は、例えばインターネット等を通じてダウンロードされた動画像や、撮像手段により撮像された静止画像などである。ユーザメディア記憶部１８に記憶されたユーザメディア２０は、挿入可能部分に挿入されるメディアデータの候補となるデータである。
【００４７】
コンテンツ記憶部２２は、テンプレートにメディアデータを挿入して作成されたコンテンツをコンテンツシナリオ２４の形式で記憶する。コンテンツシナリオ２４は、テンプレートシナリオ１６と同様に、コンテンツを構成するメディアデータの再生時間および表示領域を規定するものである。
【００４８】
次に、制御部３０の構成について説明する。制御部３０において、再生制御部３２は、テンプレートまたはコンテンツを再生する機能を有する。テンプレートを再生する際に、テンプレートの挿入可能部分に挿入するメディアデータが選択されている場合には、選択されたメディアデータを挿入してテンプレートを再生する。
【００４９】
制御部３０において、時間管理部３４は、再生中のテンプレートまたはコンテンツの再生時間を管理する機能を有する。
【００５０】
挿入制御部３６は、挿入可能部分に挿入すべきメディアデータを選択させる機能を有する。
【００５１】
シナリオ変換部３８は、挿入可能部分への挿入が確定されたメディアデータをテンプレートシナリオ１６に書き込み、コンテンツシナリオ２４を作成する機能を有する。
【００５２】
以上、本実施の形態のコンテンツ作成装置１０の構成について説明した。なお、本実施の形態のコンテンツ作成装置１０は、図１に示す各構成要素を実現するモジュールを備えたプログラムをコンピュータに読み込むことにより実現することもでき、このようなプログラムも本発明の範囲に含まれる。
【００５３】
次に、本実施の形態のコンテンツ作成装置１０の動作について説明する。図４〜図８は、コンテンツ作成装置１０の動作を示すフローチャートである。
【００５４】
図４に示すように、まず、コンテンツ作成装置１０の制御部３０は、テンプレート記憶部１２に記憶されたテンプレートのファイル一覧を生成し、生成したテンプレートファイル一覧を出力部２８に渡す（Ｓ１０）。ファイル一覧を受け取った出力部２８が、テンプレートのファイル一覧を表示する（Ｓ１２）。
【００５５】
図９は、出力部２８により表示されるテンプレートのファイル一覧の画面例を示す図である。図９に示すように、テンプレート一覧画面では、自己紹介のためのテンプレートや年賀状のためのテンプレート等、テンプレート記憶部１２に記憶されたテンプレートの名称が列挙される。この画面で一のテンプレートを選んで選択ボタンを押すと、入力部２６から制御部３０にテンプレート選択要求が伝えられ、編集対象のテンプレートが選択される。
【００５６】
コンテンツ作成装置１０の制御部３０は、ユーザが入力部２６からテンプレートの選択要求を入力したか判定する（Ｓ１４）。制御部３０は、ユーザからの選択要求が入力されるまでこの判定を繰り返し行い、ユーザからのテンプレート選択要求を待つ。なお、図９に示す画面において「取消」ボタンが選択された場合には、コンテンツ作成装置１０の動作は終了する。
【００５７】
ユーザによりテンプレートが選択され、入力部２６からテンプレートの選択要求が入力されると、入力部２６は制御部３０にテンプレートの選択要求を伝える。これを受けて制御部３０は、選択されたテンプレートの再生を再生制御部３２に要求する（Ｓ１６）。
【００５８】
再生制御部３２は、テンプレート再生の要求を制御部３０から受け取ると、選択されたテンプレートをテンプレート記憶部１２から読み出し、再生スケジュールを生成する（Ｓ１８）。以下の説明では、図２に示すテンプレートが選択されたとする。再生制御部３２は、時間管理部３４に計時開始を指示し、これを受けて時間管理部３４が再生開始からの経過時間の計時を開始する（Ｓ２０）。
【００５９】
引き続き、図５を参照して、コンテンツ作成装置１０の動作を説明する。再生制御部３２が時間管理部３４での計時結果を取得する（Ｓ２２）。再生制御部３２は、取得した計時結果に基づいて、再生終了時刻か否かを判定する（Ｓ２４）。図２に示す例では、テンプレートの再生終了時刻は２５秒である。従って、再生制御部３２は、計時結果が２５秒以上の場合には再生終了時刻であると判定し、計時結果が２５秒未満の場合には再生終了時刻ではないと判定する。この判定の結果、計時結果が再生終了時刻であると判定された場合には、コンテンツ作成装置１０の動作を終了する。
【００６０】
計時結果が再生終了時刻でない場合、再生制御部３２は、テンプレートの再生スケジュールの中で再生時刻に達した固定メディア１４およびガイド用メディアを検索する（Ｓ２６）。ここでの検索は、テンプレートの各メディアの再生開始時刻に基づいて行う。図２に示す例では、計時結果が３秒の場合、「back1.jpg」の固定メディア１４と、「image.jpg」「text1.txt」のガイド用メディアが検索される。再生制御部３２は、再生時刻に達したメディアの検索結果に基づき、該当メディアが存在するか否かの判定を行う（Ｓ２８）。この判定の結果、該当メディアがあると判定された場合、再生制御部３２は検索されたメディアデータを、テンプレート記憶部１２から読み出して出力部２８に渡す。出力部２８は、再生制御部３２から渡された該当メディアを出力する（Ｓ３０）。出力部２８は、該当メディアの種類に応じた形式で出力を行う。例えば、該当メディアが音声の場合には音声出力し、該当メディアが動画の場合には画像表示および音声出力を行う。なお、該当メディアがないと判定された場合には、コンテンツ作成装置１０の動作は、計時結果を取得するステップ（Ｓ２２）に移行する。ここまでは、コンテンツ作成装置１０がテンプレートの選択を受け付け、選択されたテンプレートを再生する動作である。
【００６１】
続いて、テンプレート再生中に編集要求があったときの動作について説明する。以下の説明では、図１０Ａ〜図１０Ｄおよび図１１Ａ〜図１１Ｄの画面表示例を動作フローと併せて参照しつつ説明する。
【００６２】
図５に示すように、コンテンツ作成装置１０は、テンプレート再生中に、ユーザからの編集要求が入力部２６に入力されたか否かを判定する（Ｓ３２）。編集要求を受け付けるため、出力部２８は、テンプレート再生中に画面の一部に編集ボタンを表示する。編集ボタンは、編集要求を入力するための入力部２６を構成する。図１０Ａでは、テンプレート再生領域の下方に編集ボタンが表示されている。なお、図１０Ａは、図２に示すテンプレートの再生時間１３〜２３秒を再生中の画面例である。編集ボタンを押すと、編集要求が入力部２６に入力される。
【００６３】
編集要求が入力されたか否かの判定ステップＳ３２において、編集要求が入力されなかったと判定された場合には、コンテンツ作成装置１０の動作は、計時結果を取得するステップ（Ｓ２２）に移行し、テンプレートの再生を続ける。編集要求が入力部２６に入力されたと判定された場合には、図６に示すフローに移行する。
【００６４】
図６に示すように、再生制御部３２は、編集要求が入力されると、テンプレートの再生を一時停止する。再生制御部３２は、時間管理部３４での計時結果を取得して制御部３０に伝える。また、再生制御部３２は、時間管理部３４での計時の一時停止要求を制御部３０に伝える（Ｓ３４）。制御部３０は、再生制御部３２からの要求に従い、時間管理部３４に計時の一時停止を要求する。時間管理部３４は、再生制御部３２から一時停止の要求を受けると、計時を一時停止する（Ｓ３６）。
【００６５】
続いて、制御部３０は、挿入制御部３６に対し、ガイド用メディアの抽出を要求する（Ｓ３８）。この際、制御部３０は、再生中のテンプレートファイル名と現時点での再生経過時刻を示す計時結果とを挿入制御部３６に伝える。挿入制御部３６は、計時結果を用いて現時点の再生経過時刻を求め、テンプレートの現在再生中の部分からガイド用メディアを抽出する（Ｓ４０）。そして、挿入制御部３６は、ガイド用メディアが抽出されたか否かを判定する（Ｓ４２）。図２に示す例では、計時結果が３秒から２３秒のときガイド用メディアありと判定され、その他の時刻ではガイド用メディアなしと判定される。この判定により、ガイド用メディアなしと判定された場合は、挿入制御部３６は、入力された編集要求が無効である旨を制御部３０に通知する。制御部３０は、出力部２８に編集要求無効のメッセージを表示する（Ｓ４４）。出力部２８は、例えば「現在編集不可能です」等のメッセージを表示する。
【００６６】
本実施の形態において、ガイド用メディアの有無の判定結果に応じて編集要求が有効か無効かを判定しているのは、図２にて説明したようにメディアデータの挿入可能部分にはガイド用メディアが再生されるためである。すなわち、ガイド用メディアの有無と挿入可能部分の有無とが一致しているので、ガイド用メディアの有無を判定することにより挿入可能部分の有無を判定できる。なお、ガイド用メディアの有無に基づく判定に代えて、挿入制御部３６にメディアデータの挿入可能か否かを問い合わせる構成とすることも可能である。
【００６７】
ガイド用メディアの有無の判定ステップ（Ｓ４２）において、ガイド用メディアありと判定された場合には、挿入制御部３６は、検索されたガイド用メディアの一覧を出力部２８に渡す。これを受けた出力部２８は、ガイド用メディアに関する情報（メディア種別や識別番号等）の一覧を表示する（Ｓ４６）。図１０Ｂは、編集ボタンが押された時点の画面におけるガイド用メディアの一覧を表示する画面である。図１０Ｂに示す画面でガイド用メディアを選択することにより、メディアデータを挿入する編集対象の挿入可能部分を選択することができる。
【００６８】
図１０Ｂに示す画面において、ユーザにより編集対象が選択されると、入力部２６が編集対象の選択の入力を受け付ける（Ｓ４８）。編集対象の選択の入力を受け付けると、コンテンツ作成装置１０の動作は、図７に示すフローに移行する。ここでは、編集対象として画像が選択されたとする。
【００６９】
図７に示すように、編集対象の選択の入力を受け付けると、挿入制御部３６は、編集対象のテンプレートの挿入可能部分に挿入するメディアデータをユーザメディア記憶部１８から読み出すか否か判定する（Ｓ５０）。本実施の形態においては、この判定は挿入するメディアデータの種類に応じて行う例を示す。挿入するメディアデータがテキスト以外であった場合には、ユーザメディア記憶部１８から読み出す。挿入するメディアデータがテキストであった場合には、ユーザメディア記憶部１８からは読み出さず、入力部２６からの入力されたデータを挿入することとしている。まず、メディアデータをユーザメディア記憶部１８から読み出す場合について説明する。
【００７０】
メディアデータをユーザメディア記憶部１８から読み出す場合、挿入制御部３６がユーザメディア記憶部１８を検索する。そして、挿入制御部３６は、検索されたユーザメディア２０の一覧を生成し、挿入可能部分に挿入可能なメディアデータの候補として出力部２８に渡す（Ｓ５２）。ここで、ユーザメディア２０の検索は、挿入可能部分のメディアの種類に基づいて行う。なお、挿入範囲のサイズや、挿入可能部分の時間長に基づき、検索を行ってもよい。検索された候補の一覧を受けた出力部２８は、メディアデータの候補の一覧を表示する（Ｓ５４）。
【００７１】
図１０Ｃは、メディアデータの候補の一覧を表示し、挿入するメディアデータを選択させる画面である。挿入可能部分に挿入可能な画像として画像１から画像８まで表示されている。この画面において、一の画像を選んで選択ボタンを押すことにより挿入する画像を選択できる。
【００７２】
続いて、コンテンツ作成装置１０は、入力部２６にメディアデータの選択の入力がなされたか否かを判定する（Ｓ５６）。コンテンツ作成装置１０は、ユーザからの選択が入力されるまでこの判定を繰り返し行い、ユーザからのメディアデータの選択の入力を待つ。
【００７３】
ユーザによりいずれかの画像が選択されると、入力部２６は制御部３０にメディアデータの選択要求を伝える。制御部３０は、選択されたメディアデータのファイル名を一時記憶すると共に、再生制御部３２に選択されたメディアデータのファイル名を伝える（Ｓ５８）。
【００７４】
図１２は、制御部３０に一時記憶する記憶領域の例を示す図である。図１２に示すように、制御部３０の記憶領域には、テンプレート中のそれぞれの挿入可能部分に挿入されるメディアデータの情報がユーザの選択要求に応じて一時記憶される。この情報は、新たなメディアデータが選択された場合には、書き換えられる。なお、メディアデータの書き換えを行う際に、書き換え前のメディアデータの情報を選択履歴として残す構成としてもよい。これにより、書き換え前の状態に容易に戻すことができる。
【００７５】
次に、再生制御部３２は、時間管理部３４に計時再開を指示し、これを受けた時間管理部３４が計時を再開する（Ｓ６４）。そして、再生制御部３２が、一時停止されたところからテンプレートの再生を再開する。このとき、図１０Ｄに示すように、挿入可能部分の表示領域に、選択されたメディアデータを再生する（Ｓ６６）。メディアデータが選択された挿入可能部分では、ガイド用メディアの再生は行われない。
【００７６】
なお、挿入可能部分に挿入されるメディアデータが動画である場合には、選択された動画の再生開始位置は、時間管理部３４からの指示に従って決定される。具体的には、時間管理部３４は、挿入可能部分の再生開始時点から、ステップＳ３６において再生が一時停止された時点までの経過時間を算出する。そして、再生制御部３２は、時間管理部３４によって算出された経過時間分だけ先頭からシフトした位置から、選択された動画の再生を開始する。これにより、テンプレート再生再開時点での挿入可能部分の再生経過時間と動画の再生開始位置からの経過時間とが一致し、作成されるコンテンツと同じ動画をプレビュー表示できる。図２に示すテンプレートシナリオ１６を例として説明すると、編集ボタンが押されてテンプレートの再生が一時停止したのが再生時間８秒の時点だとすると、挿入可能部分は再生時間が３秒の時点で再生開始されているので、テンプレートの再生が一時停止されるまでに経過した時間は、８−３＝５秒である。従って、選択された動画は、先頭から５秒経過した位置から再生される。
【００７７】
次に、選択された挿入可能部分に挿入するメディアデータをユーザメディア記憶部１８から読み出さない場合について説明する。本実施の形態では、挿入可能部分に挿入されるメディアの種類がテキストである場合には、テキストデータをユーザメディア記憶部１８から読み出すのではなく、入力部２６から入力する。
【００７８】
図１１Ａに示すように編集対象の選択画面でテキスト３が選択されたとする。入力部２６は、編集対象としてテキスト３が選択されたことを制御部３０に伝える。挿入制御部３６は、図７に示すように、テキスト入力の画面を出力部２８によって表示させる（Ｓ６０）。
【００７９】
図１１Ｂは、テキストの入力画面を示す図である。図１１Ｂに示す画面においてテキストが入力され、決定ボタンが押されると、入力部２６が制御部３０にテキストデータを伝える。制御部３０は、入力部２６から伝えられたテキストデータを図１２に示す記憶領域に一時記憶する。また、制御部３０は、再生制御部３２にテキストデータを伝える（Ｓ６２）。
【００８０】
この後、再生制御部３２が時間管理部３４に計時を再開させ（Ｓ６４）、テキストデータを挿入してテンプレートの再生を再開する（Ｓ６６）という動作は、メディアデータをユーザメディア記憶部１８から読み出した場合と同じである。図１１Ｃに示すように、テキストが挿入されたテンプレートが再生される。
【００８１】
本実施の形態では、挿入するメディアデータをユーザメディア記憶部１８から読み出さない場合として、挿入するメディアデータの種類がテキストであるときにユーザが入力したテキストを挿入する場合を説明したがこれは一例に過ぎない。メディアデータがテキスト以外の動画、静止画、または／および、音声であるときにも、入力部２６からユーザが入力したデータを挿入する構成とすることも可能である。
【００８２】
また図７のＳ５０における判定（挿入するメディアをユーザメディア記憶部１８から読み出すか否か）について、挿入可能なメディアデータの種類に応じて判定を行う例を説明したが、図２８に示すように、テンプレートシナリオに「挿入データ種別」のパラメータを記述し、このパラメータに基づいてＳ５０における判定を実行する構成とすることも可能である。この場合、挿入データ種別が「記憶済メディア」である場合には、挿入可能部分に挿入するメディアとして、ユーザメディア記憶部１８から読み出されたものを使用し、挿入データ種別が「ユーザ入力」である場合には、入力部２６から入力されたもの使用するように指定することができる。
【００８３】
なお、メディアデータをユーザメディア記憶部１８から読み出すか、直接入力するかに関わらず、メディアデータを挿入してテンプレートを再生する画面（図１０Ｄ、図１１Ｃ参照）には、編集ボタンに加えて、確定ボタンが表示される。確定ボタンは、選択されたメディアデータでコンテンツ２４を作成することを確定し、コンテンツ２４を保存するためのボタンである。
【００８４】
図８を用いて、確定ボタンが押されたときの動作について説明する。コンテンツ作成装置１０は、ユーザにより確定ボタンが押され、入力部２６から確定が入力されたか否かを判定する（Ｓ７０）。コンテンツ作成装置１０は、確定ボタンが表示されている間は繰り返しこの判定を行う。
【００８５】
ユーザからメディアデータの確定が入力された場合、入力部２６が制御部３０に確定の選択を伝え、これを受けて制御部３０は、図１１Ｄに示す保存先の確認画面を出力部２８によって表示させる（Ｓ７２）。なお、この画面では保存先の変更を行うこともできる。そして、制御部３０は、保存先確認画面において、保存先ＯＫが選択されたか否かを判定する（Ｓ７４）。保存先ＯＫが選択された場合には、入力部２６が制御部３０に保存先ＯＫを伝え、制御部３０がシナリオ変換部３８にメディアデータの確定および保存先を伝える（Ｓ７６）。これを受けたシナリオ変換部３８は、制御部３０に一時記憶されたメディアデータの情報を用いてテンプレートシナリオ１６を書き換えてコンテンツシナリオ２４を作成し、指定された保存先に指定されたデータファイル名で保存する（Ｓ７８）。以上で、コンテンツ作成装置１０によるコンテンツ作成動作が完了する。
【００８６】
図１３は、作成されたコンテンツシナリオ２４を示す図である。図１３に示すコンテンツシナリオ２４は、図２に示すテンプレートのテンプレートシナリオ１６と比較すると分かるように、テンプレートの挿入可能部分にユーザが選択したメディアデータ（図１３に下線を引いて示す）が挿入されて作成されている。
【００８７】
図１４は、作成されたコンテンツシナリオ２４に従ってコンテンツを再生したときの画面例を示す図である。まず、再生時間０〜３秒においては、「〜自己紹介〜」の画像が表示される。これは、コンテンツの元となったテンプレートの固定メディア１４である。再生時間３〜１３秒においては、ユーザが選択した動画と、ユーザが入力した名前が表示される。再生時間１３〜２３秒においては、ユーザが選択した静止画と、ユーザが入力した生年月日、血液型、ひとことが表示される。最後に、再生時刻２３〜２５秒において、「〜おわり〜」の画像が表示される。これは、コンテンツの元となったテンプレートの固定メディア１４である。このように、基本となるテンプレートにユーザが選択したメディアデータを挿入することによりコンテンツ２４が作成される。
【００８８】
以上、第１の発明の実施の形態のコンテンツ作成装置１０について説明した。
【００８９】
第１の実施の形態のコンテンツ作成装置１０は、テンプレート再生中にテンプレートの編集を受け付けるための編集ボタンを表示する。その編集ボタンの押下に応じて、テンプレートに挿入するメディアデータを選択させる。そして、選択されたメディアデータを挿入してテンプレートの再生を行う。これにより、再生中のテンプレートを見ながら、挿入すべきメディアデータを選択することができるので、テンプレートに合ったメディアデータを選択可能となる。
【００９０】
また、コンテンツ作成装置１０は、選択されたメディアデータの情報を制御部３０の記憶領域に一時記憶しておく。そして、確定ボタンの押下に応じて、一時記憶されたメディアデータの情報を用いてコンテンツシナリオ２４を作成する。これにより、一度メディアデータを選択した挿入可能部分についても、メディアデータの確定がなされるまでは、別のメディアデータに変更することができる。
【００９１】
次に、本発明の第２の実施の形態のコンテンツ作成装置１０について説明する。
【００９２】
第２の実施の形態のコンテンツ作成装置１０は、基本的な構成は図１に示す第１の実施の形態のコンテンツ作成装置１０と同じであるが、テンプレートへのメディアデータの挿入の方法が異なる。
【００９３】
図１５は、第２の実施の形態のテンプレートシナリオ１６の例を示す図である。第２の実施の形態のテンプレートシナリオ１６は、第１の実施の形態におけるテンプレートシナリオ１６と同様に、各メディアの再生開始時刻および終了時刻の情報と表示領域の情報とを有する。ただし、第２の実施の形態におけるテンプレートシナリオ１６では、挿入可能部分の表示領域の情報を有しておらず、またガイド用メディアを有しない。
【００９４】
図１６は、図１５に示すテンプレートを再生したときの画面表示を示す図である。再生時刻０〜３秒では「open.mpg」の固定メディア１４が再生され、図１６に示すように「〜自己紹介〜」の画像が表示される。再生時刻３〜１３秒では「back1.jpg」の背景画像、再生時刻１３〜２３秒では「back2.jpg」の背景画像が再生される。再生時刻３〜２３秒はメディアデータの挿入可能期間であるが、第１の実施の形態と異なりガイド用メディアの表示はされない。再生時刻２３〜２５秒では、「end.mpg」の固定メディア１４が再生され、図１６に示すように「〜おわり〜」の画像が表示される。
【００９５】
次に、第２の実施の形態のコンテンツ作成装置１０の動作について説明する。
【００９６】
図１７〜図２０は、第２の実施の形態のコンテンツ作成装置１０の動作を示すフローチャートである。図１７に示すように、コンテンツ作成装置１０は、テンプレート記憶部１２に記憶されたテンプレートの情報からファイル一覧を生成する（Ｓ８０）。コンテンツ作成装置１０は、生成されたファイル一覧を画面に表示し（Ｓ８２）、ユーザからテンプレート選択要求が入力されたか否かを繰り返し判定する（Ｓ８４）。そして、テンプレート選択要求が入力されると、再生制御部３２にテンプレートの再生を要求し（Ｓ８６）、再生制御部３２が選択されたテンプレートに基づいて再生スケジュールを生成する（Ｓ８８）。ここまでの動作は、第１の実施の形態と同じである。
【００９７】
次に、コンテンツ作成装置１０は、再生制御部３２が読み出したテンプレートを挿入制御部３６に渡し、挿入制御部３６がテンプレートから挿入可能期間の情報を抽出する（Ｓ９０）。図１５に示す例では、再生時間が３〜１３秒、１３〜２３秒が挿入可能期間として抽出される。挿入制御部３６は、抽出した挿入可能期間の情報を記憶しておく。続いて、再生制御部３２は、時間管理部３４に計時開始を指示し、時間管理部３４に計時を開始させる（Ｓ９２）。
【００９８】
図１８に移って、再生制御部３２は、時間管理部３４の計時結果を取得し（Ｓ９４）、取得した計時結果が再生終了時刻か否かを判定する（Ｓ９６）。判定の結果、計時結果が再生終了時刻である場合には、コンテンツ作成装置１０の動作を終了する。
【００９９】
計時結果が再生終了時刻でない場合には、再生制御部３２は、制御部３０を介して挿入制御部３６に計時結果を伝える（Ｓ９８）。挿入制御部３６は、計時結果と、ステップＳ９０で抽出した挿入可能期間の情報とに基づいて、再生時刻が挿入可能期間に入ったか否かを判定する（Ｓ１００）。判定の結果、挿入可能期間に入っていないと判定された場合には、再生制御部３２が、再生スケジュールの中で再生時刻に達したメディアを検索し（Ｓ１０２）、該当メディアがあるか否かを判定する（Ｓ１０４）。再生時刻に達したメディアがある場合には、再生制御部３２は、該当メディアを出力する（Ｓ１０６）。再生時刻に達したメディアがない場合には、再生制御部３２は、時間管理部３４で計時結果を取得するステップＳ９４に移行する。再生時刻が挿入可能期間に入ったと判定された場合には、図１９に示すフローチャートに移行する。
【０１００】
再生時刻が挿入可能期間に入ったと判定された場合には、挿入制御部３６は、制御部３０を介して再生制御部３２に挿入可能期間に入ったことを伝える（Ｓ１０８）。これを受けて、再生制御部３２は、テンプレートの再生を一時停止し、時間管理部３４での計時結果を取得する。続いて、再生制御部３２は、制御部３０に、時間管理部３４での計時結果を伝えると共に、時間管理部３４の一時停止要求を伝える（Ｓ１１０）。これを受けて制御部３０は、時間管理部３４に計時の一時停止を要求し、時間管理部３４は計時を一時停止する（Ｓ１１２）。
【０１０１】
続いて、制御部３０は、挿入制御部３６に挿入操作準備が完了したことを通知する（Ｓ１１４）。挿入制御部３６は、ユーザメディア記憶部１８を検索してユーザメディア２０の一覧を生成し、メディアデータの候補として出力部２８に渡す（Ｓ１１６）。出力部２８は、挿入制御部３６から渡されたメディアデータの候補の一覧を表示する（Ｓ１１８）。
【０１０２】
引き続き、図２０を用いてコンテンツ作成装置１０の動作について説明する。コンテンツ作成装置１０は、メディアデータの候補の一覧が表示された画面において、ユーザが入力部２６からメディアデータを選択したか否か判定する（Ｓ１２０）。この判定は、メディアデータが選択されるまで繰り返し行われ、メディアデータが選択されるのを待つ。
【０１０３】
メディアデータが選択された場合、入力部２６が制御部３０にメディアデータの選択要求を伝え、制御部３０が再生制御部３２にメディアデータのファイル名を伝える（Ｓ１２２）。
【０１０４】
続いて、再生制御部３２は、時間管理部３４に計時再開を指示し、時間管理部３４が計時を再開する（Ｓ１２４）。再生制御部３２は、テンプレートの再生を再開する。このとき、再生制御部３２は、選択されたメディアデータをテンプレートに重ねて再生する（Ｓ１２６）。
【０１０５】
テンプレートの再生中に、メディアデータの確定が入力されたときの動作は、第１の実施の形態のコンテンツ作成装置１０と同じである。
【０１０６】
図２１は、作成されたコンテンツシナリオ２４を示す図である。図２１に示すコンテンツシナリオ２４は、図１５に示すテンプレートのテンプレートシナリオ１６と比較すると分かるように、テンプレートの挿入可能期間にユーザが選択したメディアデータ（図２１に下線を引いて示す）が挿入されて作成されている。例えば、再生時刻３〜１３秒の挿入可能期間のうちの４〜１２秒に「my-video1.mpg」のメディアデータが再生されることが記述されている。
【０１０７】
図２２は、作成されたコンテンツ２４を再生したときの画面例を示す図である。まず、再生時間０〜３秒においては、「〜自己紹介〜」の画像が表示される。これは、コンテンツの元となったテンプレートの固定メディア１４である。再生時刻３〜１３秒においては、「back1.jpg」の背景画像が再生表示されるが、そのうちの再生時刻４〜１２秒においてはユーザにより選択された「my-video1.mpg」のメディアデータが背景画像に重ねて再生表示される。また、再生時刻１３〜２３秒においては、「back2.jpg」の背景画像が再生表示されるが、そのうちの再生時刻１４〜２０秒においてはユーザにより選択された「my-video2.mpg」のメディアデータが背景画像に重ねて再生表示される。最後に、再生時刻２３〜２５秒において、「〜おわり〜」の画像が表示される。これは、コンテンツの元となったテンプレートの固定メディア１４である。このように、基本となるテンプレートにユーザが選択したメディアデータを挿入することによりコンテンツが作成される。
【０１０８】
以上、第２の発明の実施の形態のコンテンツ作成装置１０について説明した。
【０１０９】
第２の実施の形態のコンテンツ作成装置１０は、第１の実施の形態のコンテンツ作成装置１０と同様に、再生中のテンプレートを見ながら、挿入すべきメディアデータを選択することができるので、テンプレートに合ったメディアデータを選択可能となる。
【０１１０】
また、第２の実施の形態のコンテンツ作成装置１０は、挿入可能期間のうちの一部にメディアデータを挿入することができるので、メディアデータを挿入する時間的な範囲をユーザが自由に選択することができる。
【０１１１】
次に、第２の実施の形態の変形例について説明する。変形例に係るコンテンツ作成装置１０では、挿入可能期間に挿入されたメディアデータを固定メディアに重ねて再生するのではなく、挿入可能期間にメディアデータの再生期間を割り込ませる形でメディアデータを挿入する。
【０１１２】
図２３は、挿入期間にメディアデータの再生時間を作成したコンテンツシナリオ２４を示す図である。図２３に示すコンテンツシナリオ２４は、８〜１６秒に「my-video1.mpg」のメディアデータが挿入されている。図１５に示すテンプレートのテンプレートシナリオ１６と比較すると分かるように、最初３〜１３秒であった「back1.jpg」の再生時間中に、再生時刻８秒の時点から８秒間のメディアデータ（図２３に下線を引いて示す）が挿入されている。これにより、「back1.jpg」の再生時間が３〜８秒、１６〜２１秒となる。これに伴い、「back2.jpg」の再生開始時刻が８秒間繰り下がっている。同様に、「back2.jpg」にも６秒間のメディアデータが挿入されており、テンプレートの総再生時間は８＋６＝１４秒間延長されている。
【０１１３】
図２４は、図２３に示すコンテンツ２４を再生したときの画面例を示す図である。まず、再生時間０〜３秒においては、「〜自己紹介〜」の画像が表示される。再生時刻３〜８秒と再生時刻１６〜２１秒においては、「back1.jpg」の背景画像が再生表示され、その間の再生時刻８〜１６秒にユーザにより選択された「my-video1.mpg」のメディアデータが再生表示される。図２４から分かるように、再生時刻８〜１６秒においては、メディアデータは背景画像に重ねて表示されるのではなく、メディアデータはその再生時間分だけテンプレートに割り込んでいる。また、再生時刻２１〜２５秒と再生時刻３１〜３７秒においては、「back2.jpg」の背景画像が再生表示され、その間の再生時刻２５〜３１秒においてはユーザにより選択された「my-video2.mpg」のメディアデータが再生表示される。最後に、再生時刻３７〜３９秒において、「〜おわり〜」の画像が表示される。
【０１１４】
図２５および図２６は、第２の実施の形態とその変形例の相違を説明するための図である。図２５に示すように、第２の実施の形態のコンテンツ作成装置１０では、挿入可能期間内にメディアデータが挿入され、テンプレートと共に再生される。変形例に係るコンテンツ作成装置１０では、挿入可能期間内のある時点（ここでは、再生時刻８秒および２５秒）から挿入されたメディアデータの再生が開始され、その間はテンプレートの再生が一時停止される。そして、メディアデータの再生終了後からテンプレートの続きが再生される。従って、作成されるコンテンツ２４の総時間は挿入されたメディアデータの再生時間分だけ延長される。
【０１１５】
なお、この変形例において、時間的な幅を持った挿入可能期間に代えて、時間的な幅を持たない時刻を挿入可能時刻として規定することもできる。これにより、テンプレートの挿入可能時刻においてメディアデータの挿入を行えば、挿入可能時刻からメディアデータの再生が開始されるコンテンツを作成できる。
【０１１６】
以上、本発明のコンテンツ作成装置１０について実施の形態を挙げて説明したが、本発明は上記した実施の形態に限定されるものではない。
【０１１７】
上記した実施の形態では、編集対象を選択する画面（図１０Ｂ）で編集対象の選択を受け付ける構成について説明したが、異なる方式で編集対象の選択を受け付けてもよい。例えば、図２７に示すように、再生を一時停止した画面において、編集対象となる挿入可能部分に当てるフォーカスを切り替えることによって編集対象を選択させてもよい。
【０１１８】
また、上記した実施の形態においては、動画、静止画、テキストをメディアデータとして挿入する例について説明したが、音声などの他のメディアデータを挿入することも可能である。メディアデータが音声の場合、図２７に示すように、例えば音符のマークを表示して、ユーザに音声データ挿入可能であることを知らせる。
【０１１９】
また、上記した実施の形態においては、あらかじめ取得済み、あるいは撮影済みの動画、静止画をユーザメディアとして挿入する例について説明したが、挿入可能部分の開始タイミングでカメラなどの撮像手段を起動し、動画や静止画を撮影しながら、テンプレートに挿入する構成とすることも可能である。
【０１２０】
また、上記した実施の形態においては、挿入されるメディアデータの種類がテキストである場合には、ユーザにより入力されたテキストデータを挿入する例について説明したが、メディアデータがテキストである場合にもあらかじめユーザメディア記憶部１８に記憶されたテキストデータから選択する構成とすることも可能である。
【０１２１】
また、上記した実施の形態では、テンプレート再生中には常に編集ボタンを表示し、編集ボタンの押下に応じてテンプレートへの挿入可能部分を有するか否かを判定する構成としたが、挿入可能部分を再生中にのみ編集ボタンを表示する構成とすることも可能である。
【０１２２】
また、上記した実施の形態では、挿入可能部分に挿入するメディアデータが選択されたときには確定ボタンを表示することとしたが、テンプレート中のすべての挿入可能部分に対してメディアデータが選択されたときに初めて確定ボタンを表示することとしてもよい。
【０１２３】
なお、上記の実施の形態におけるテンプレートシナリオ、コンテンツシナリオの記述方法としては、複数メディアのレイアウトと再生時間を記述できるＳＭＩＬ（Ｗ３Ｃ規格）を利用することができるが、これに限定されるものではない。
【０１２４】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１２５】
以上説明したように、本発明は、作成されるマルチメディアテンプレートを確認しつつ、マルチメディアテンプレートに合ったメディアデータを選択できるというすぐれた効果を有し、マルチメディアコンテンツを作成するコンテンツ作成装置等として有用である。
【図面の簡単な説明】
【０１２６】
【図１】図１は、第１の実施の形態のコンテンツ作成装置の構成を示す図
【図２】図２は、テンプレートのシナリオの例を示す図
【図３】図３は、テンプレート再生の画面表示例を示す図
【図４】図４は、コンテンツ作成装置の動作を示す図
【図５】図５は、コンテンツ作成装置の動作を示す図
【図６】図６は、コンテンツ作成装置の動作を示す図
【図７】図７は、コンテンツ作成装置の動作を示す図
【図８】図８は、コンテンツ作成装置の動作を示す図
【図９】図９は、テンプレートの選択画面例を示す図
【図１０Ａ】図１０Ａは、テンプレート再生中の画面例を示す図
【図１０Ｂ】図１０Ｂは、編集対象の選択画面例を示す図
【図１０Ｃ】図１０Ｃは、画像の選択画面例を示す図
【図１０Ｄ】図１０Ｄは、テンプレート再生中の画面例を示す図
【図１１Ａ】図１１Ａは、編集対象の選択画面例を示す図
【図１１Ｂ】図１１Ｂは、テキストの入力画面例を示す図
【図１１Ｃ】図１１Ｃは、テンプレート再生中の画面例を示す図
【図１１Ｄ】図１１Ｄは、コンテンツ保存先の確認画面例を示す図
【図１２】図１２は、一時記憶されたテンプレート選択情報を示す図
【図１３】図１３は、コンテンツのシナリオの例を示す図
【図１４】図１４は、コンテンツ再生時の画面表示例を示す図
【図１５】図１５は、第２の実施の形態のテンプレートのシナリオの例を示す図
【図１６】図１６は、テンプレート再生の画面表示例を示す図
【図１７】図１７は、コンテンツ作成装置の動作を示す図
【図１８】図１８は、コンテンツ作成装置の動作を示す図
【図１９】図１９は、コンテンツ作成装置の動作を示す図
【図２０】図２０は、コンテンツ作成装置の動作を示す図
【図２１】図２１は、コンテンツのシナリオの例を示す図
【図２２】図２２は、コンテンツ再生時の画面表示例を示す図
【図２３】図２３は、コンテンツのシナリオの例を示す図
【図２４】図２４は、コンテンツ再生時の画面表示例を示す図
【図２５】図２５は、第２の実施の形態におけるメディアデータ挿入によるコンテンツの変化を示す図
【図２６】図２６は、第２の実施の形態の変形例におけるメディアデータ挿入によるコンテンツの変化を示す図
【図２７】図２７は、テンプレート再生中の他の画面例を示す図
【図２８】図２８は、変形例にかかるテンプレートシナリオを示す図
【手続補正３】
【補正対象書類名】図面
【補正対象項目名】全図
【補正方法】変更
【補正の内容】
【図１】
2005076188.tif 000036
【図２】
2005076188.tif 000037
【図３】
2005076188.tif 000038
【図４】
2005076188.tif 000039
【図５】
2005076188.tif 000040
【図６】
2005076188.tif 000041
【図７】
2005076188.tif 000042
【図８】
2005076188.tif 000043
【図９】
2005076188.tif 000044
【図１０Ａ】
2005076188.tif 000045
【図１０Ｂ】
2005076188.tif 000046
【図１０Ｃ】
2005076188.tif 000047
【図１０Ｄ】
2005076188.tif 000048
【図１１Ａ】
2005076188.tif 000049
【図１１Ｂ】
2005076188.tif 000050
【図１１Ｃ】
2005076188.tif 000051
【図１１Ｄ】
2005076188.tif 000052
【図１２】
2005076188.tif 000053
【図１３】
2005076188.tif 000054
【図１４】
2005076188.tif 000055
【図１５】
2005076188.tif 000056
【図１６】
2005076188.tif 000057
【図１７】
2005076188.tif 000058
【図１８】
2005076188.tif 000059
【図１９】
2005076188.tif 000060
【図２０】
2005076188.tif 000061
【図２１】
2005076188.tif 000062
【図２２】
2005076188.tif 000063
【図２３】
2005076188.tif 000064
【図２４】
2005076188.tif 000065
【図２５】
2005076188.tif 000066
【図２６】
2005076188.tif 000067
【図２７】
2005076188.tif 000068
【図２８】
2005076188.tif 000069
【国際調査報告】
2005076188.tif 000070
2005076188.tif 000071
2005076188.tif 000072
2005076188.tif 000073